(57)【要約】【課題】警報の転送に要するトラフィックを少なくすること。【解決手段】たとえばＷＤＭ伝送装置１１６は、ＷＤＭ伝送装置１１１において検出された通信に関する第１警報をＷＤＭ伝送装置１１５から受信する。また、ＷＤＭ伝送装置１１６は、自装置の第２警報を検出する。また、ＷＤＭ伝送装置１１６は、受信した警報と検出した警報とを含む各警報のマスク処理を行い、マスクされなかった警報をネットワーク管理サーバ１３０へ送信する。【選択図】図６
2017228914.tif 000002
【特許請求の範囲】
【請求項１】
相互に接続され通信を行う複数の伝送装置に含まれる伝送装置であって、
前記複数の伝送装置のうちの自装置と異なる第１伝送装置において検出された第１警報を、前記複数の伝送装置のうちの自装置と異なる第２伝送装置から受信する受信部と、
自装置の第２警報を検出する検出部と、
前記受信部によって受信された前記第１警報と、前記検出部によって検出された前記第２警報と、を含む各警報のマスク処理を行う処理部と、
前記各警報のうちの前記処理部の前記マスク処理によってマスクされなかった警報を、前記複数の伝送装置のうちの自装置および前記第２伝送装置と異なる第３伝送装置へ送信し、または前記複数の伝送装置のいずれとも異なる所定装置へ送信する送信部と、
を備えることを特徴とする伝送装置。
【請求項２】
前記複数の伝送装置は、前記所定装置へ警報を転送する転送経路を形成し、
前記第１伝送装置は、前記複数の伝送装置のうちの、前記転送経路において自装置より上流側の伝送装置であり、
前記第２伝送装置は、前記複数の伝送装置のうちの、前記転送経路において自装置の上流側に隣接する伝送装置であり、
前記第３伝送装置は、前記複数の伝送装置のうちの、前記転送経路において自装置の下流側に隣接する伝送装置である、
ことを特徴とする請求項１に記載の伝送装置。
【請求項３】
前記送信部は、自装置が前記転送経路において前記複数の伝送装置のうちの最下流の伝送装置である場合は、前記マスク処理の後に所定時間だけ待機し、前記マスクされなかった警報が前記所定時間における前記マスク処理によってマスクされなかった場合に、前記マスクされなかった警報を前記所定装置へ送信することを特徴とする請求項２に記載の伝送装置。
【請求項４】
前記受信部は、前記第１伝送装置において検出された前記第１警報と、前記第１伝送装置において検出された前記第１警報が検出された前記通信の経路および前記通信の経路における前記第１伝送装置の位置を特定可能な情報と、を前記第２伝送装置から受信し、
前記処理部は、前記受信部によって受信された前記情報に基づいて前記マスク処理を行い、
前記送信部は、前記マスクされなかった警報と、前記マスクされなかった警報が検出された前記通信の経路および前記マスクされなかった警報が検出された伝送装置の前記通信の経路における位置を特定可能な情報と、を前記第３伝送装置へ送信し、または前記マスクされなかった警報を前記所定装置へ送信する、
ことを特徴とする請求項１〜３のいずれか一つに記載の伝送装置。
【請求項５】
相互に接続され通信を行う複数の伝送装置に含まれる伝送装置による警報転送方法であって、
前記複数の伝送装置のうちの自装置と異なる第１伝送装置において検出された第１警報を、前記複数の伝送装置のうちの自装置と異なる第２伝送装置から受信し、
自装置の第２警報を検出し、
受信した前記第１警報と検出した前記第２警報とを含む各警報のマスク処理を行い、
前記各警報のうちの前記マスク処理によってマスクされなかった警報を、前記複数の伝送装置のうちの自装置および前記第２伝送装置と異なる第３伝送装置へ送信し、または前記複数の伝送装置のいずれとも異なる所定装置へ送信する、
ことを特徴とする警報転送方法。
【請求項６】
相互に接続され通信を行う複数の伝送装置を含む警報転送システムであって、
前記複数の伝送装置のそれぞれが、
前記複数の伝送装置のうちの自装置と異なる第１伝送装置において検出された第１警報を、前記複数の伝送装置のうちの自装置と異なる第２伝送装置から受信し、
自装置の第２警報を検出し、
受信した前記第１警報と検出した前記第２警報とを含む各警報のマスク処理を行い、
前記各警報のうちの前記マスク処理によってマスクされなかった警報を、前記複数の伝送装置のうちの自装置および前記第２伝送装置と異なる第３伝送装置へ送信し、または前記複数の伝送装置のいずれとも異なる所定装置へ送信する、
ことを特徴とする警報転送システム。
【発明の詳細な説明】
【技術分野】
【０００１】
本発明は、伝送装置、警報転送方法および警報転送システムに関する。
【背景技術】
【０００２】
従来、波長が異なる複数の光信号を多重して同時に伝送するＷＤＭ（Ｗａｖｅｌｅｎｇｔｈ  Ｄｉｖｉｓｉｏｎ  Ｍｕｌｔｉｐｌｅｘｉｎｇ：波長分割多重）伝送システムが知られている。また、光パスのアラーム状態の比較結果により光パスの障害の有無を判断する技術が知られている（たとえば、下記特許文献１参照。）。また、ＷＤＭ伝送システムに用いられるＷＤＭ伝送装置において検出された警報を集約装置が集約してネットワーク管理サーバへ転送する技術が知られている。
【先行技術文献】
【特許文献】
【０００３】
【特許文献１】特開２００８−２４４８２３号公報
【発明の概要】
【発明が解決しようとする課題】
【０００４】
しかしながら、上述した従来技術では、たとえばＷＤＭ伝送システムに集約装置が設けられない場合は各ＷＤＭ伝送装置において検出された警報がネットワーク管理サーバへ転送されるため、警報の転送に要するトラフィックが多くなるという問題がある。
【０００５】
１つの側面では、本発明は、警報の転送に要するトラフィックを少なくすることができる伝送装置、警報転送方法および警報転送システムを提供することを目的とする。
【課題を解決するための手段】
【０００６】
上述した課題を解決し、目的を達成するため、本発明の一側面によれば、相互に接続され通信を行う複数の伝送装置に含まれる伝送装置が、前記複数の伝送装置のうちの自装置と異なる第１伝送装置において検出された第１警報を、前記複数の伝送装置のうちの自装置と異なる第２伝送装置から受信し、自装置の第２警報を検出し、受信した前記第１警報と検出した前記第２警報とを含む各警報のマスク処理を行い、前記各警報のうちの前記マスク処理によってマスクされなかった警報を、前記複数の伝送装置のうちの自装置および前記第２伝送装置と異なる第３伝送装置へ送信し、または前記複数の伝送装置のいずれとも異なる所定装置へ送信する伝送装置、警報転送方法および警報転送システムが提案される。
【発明の効果】
【０００７】
本発明の一側面によれば、警報の転送に要するトラフィックを少なくすることができるという効果を奏する。
【図面の簡単な説明】
【０００８】
【図１】図１は、実施の形態にかかる警報転送システムの一例を示す図である。
【図２】図２は、実施の形態にかかるＷＤＭ伝送システムの一例を示す図である。
【図３】図３は、実施の形態にかかるＷＤＭ伝送装置において発生する警報の一例を示す図である。
【図４】図４は、実施の形態にかかるＷＤＭ伝送装置における警報マスクハイアラーキの一例を示す図である。
【図５】図５は、実施の形態にかかるＷＤＭ伝送システムにおける警報の発生の一例を示す図である。
【図６】図６は、実施の形態にかかる警報転送システムにおける警報の転送の一例を示す図である。
【図７】図７は、実施の形態にかかるＷＤＭ伝送システムの他の一例を示す図である。
【図８】図８は、実施の形態にかかるＷＤＭ伝送装置が警報マスク処理に用いる情報の一例を示す図である。
【図９】図９は、実施の形態にかかるＷＤＭ伝送システムにおいて発生した各警報の方路情報が異なる場合の一例を示す図である。
【図１０】図１０は、実施の形態にかかるＷＤＭ伝送システムにおいて発生した各警報のＣＨ情報が異なる場合の一例を示す図である。
【図１１】図１１は、実施の形態にかかるＷＤＭ伝送システムにおいて発生した各警報のＡＤＤ／ＤＲＯＰ情報が異なる場合の一例を示す図である。
【図１２】図１２は、実施の形態にかかるＷＤＭ伝送システムにおいて発生した各警報の上流／下流の一例を示す図である。
【図１３】図１３は、実施の形態にかかるＷＤＭ伝送装置が送信する警報情報の一例を示す図である。
【図１４】図１４は、実施の形態にかかるＷＤＭ伝送装置が記憶する警報管理テーブルの一例を示す図である。
【図１５】図１５は、実施の形態にかかる警報転送システムにおける処理の第１の例を示す図である。
【図１６】図１６は、実施の形態にかかる警報転送システムにおける処理の第２の例を示す図である。
【図１７】図１７は、実施の形態にかかる警報転送システムにおける処理の第３の例を示す図である。
【図１８】図１８は、実施の形態にかかる警報転送システムにおける処理の第４の例を示す図である。
【図１９】図１９は、実施の形態にかかるＷＤＭ伝送装置およびネットワーク管理サーバの一例を示す図である。
【図２０】図２０は、実施の形態にかかるＷＤＭ伝送装置（隣接装置）による処理の一例を示すフローチャートである。
【図２１】図２１は、実施の形態にかかる警報マスク処理の一例を示すフローチャートである。
【図２２】図２２は、実施の形態にかかるＷＤＭ伝送装置（末端装置）による処理の一例を示すフローチャート（その１）である。
【図２３】図２３は、実施の形態にかかるＷＤＭ伝送装置（末端装置）による処理の一例を示すフローチャート（その２）である。
【図２４】図２４は、実施の形態にかかるＷＤＭ伝送システムのＡＤＤ方向のハードウェア構成の一例を示す図である。
【図２５】図２５は、実施の形態にかかるＷＤＭ伝送システムのＤＲＯＰ方向のハードウェア構成の一例を示す図である。
【図２６】図２６は、実施の形態にかかるＴＲＰＮのハードウェア構成の一例を示す図である。
【図２７】図２７は、実施の形態にかかるＷＤＭ伝送システムにおけるＷＤＭ伝送装置の配置の一例を示す図である。
【発明を実施するための形態】
【０００９】
以下に図面を参照して、本発明にかかる伝送装置、警報転送方法および警報転送システムの実施の形態を詳細に説明する。
【００１０】
（実施の形態）
（実施の形態にかかる警報転送システム）
図１は、実施の形態にかかる警報転送システムの一例を示す図である。図１に示すように、実施の形態にかかる警報転送システム１００は、たとえば、ＷＤＭ伝送システム１１０と、管理者ネットワーク網１２０と、ネットワーク管理サーバ１３０と、を含む。また、警報転送システム１００は、たとえば、ＷＤＭ伝送システム１１０において発生した警報を、管理者ネットワーク網１２０を介してネットワーク管理サーバ１３０へ転送するシステムである。
【００１１】
ＷＤＭ伝送システム１１０は、複数のＷＤＭ伝送装置（ＷＤＭ伝送装置１１１〜１１６，…）が多段接続された光通信システムである。図１に示す例では、ＷＤＭ伝送装置１１１〜１１６のそれぞれは、相互に接続され通信（たとえば光伝送）を行うブレード型の伝送装置である。たとえば、ＷＤＭ伝送装置１１１〜１１６，…は、互いに直列に接続されることにより光経路を形成し、光信号を電気信号に変換せずに伝送する。
【００１２】
また、ＷＤＭ伝送装置１１１〜１１６，…は、管理者ネットワーク網１２０を介してネットワーク管理サーバ１３０と接続されている。ただし、ＷＤＭ伝送装置１１１〜１１６，…のすべてがネットワーク管理サーバ１３０と接続されていなくてもよく、ＷＤＭ伝送装置１１１〜１１６，…の少なくともいずれかがネットワーク管理サーバ１３０と接続されていればよい。
【００１３】
また、ＷＤＭ伝送システム１１０は、たとえば、ＷＤＭ伝送装置１１１〜１１６，…の接続関係等を集中管理する集中管理装置を用いずに、ブレード型のＷＤＭ伝送装置１１１〜１１６，…を相互に接続するブレード型のＷＤＭ伝送システムである。
【００１４】
管理者ネットワーク網１２０は、警報転送システム１００におけるコントロールプレーン（Ｃ−Ｐｌａｎｅ）の信号を伝送するためのネットワークである。ＷＤＭ伝送システム１１０において検出された警報は、管理者ネットワーク網１２０を介してネットワーク管理サーバ１３０へ転送される。ただし、警報転送システム１００において管理者ネットワーク網１２０を省き、ＷＤＭ伝送システム１１０とネットワーク管理サーバ１３０とが直接接続された構成としてもよい。
【００１５】
ネットワーク管理サーバ１３０は、管理者ネットワーク網１２０を介してＷＤＭ伝送システム１１０の管理を行うサーバである。ＷＤＭ伝送システム１１０の管理には、ＷＤＭ伝送システム１１０のＷＤＭ伝送装置において発生した警報の監視が含まれる。たとえば、ネットワーク管理サーバ１３０は、ＯＰＳ（ＯＰｅｒａｔｉｏｎ  Ｓｙｓｔｅｍ）などの保守運用システムである。
【００１６】
（実施の形態にかかるＷＤＭ伝送システム）
図２は、実施の形態にかかるＷＤＭ伝送システムの一例を示す図である。図２においては、図１に示したＷＤＭ伝送システム１１０が、光の波長単位で光信号の分岐（ＤＲＯＰ）および挿入（ＡＤＤ）を行うＯＡＤＭ（Ｏｐｔｉｃａｌ  Ａｄｄ  Ｄｒｏｐ  Ｍｕｌｔｉｐｌｅｘｅｒ：光挿入分岐装置）である場合について説明する。
【００１７】
この場合に、ＷＤＭ伝送システム１１０は、複数のＷＤＭ伝送装置として、たとえば、図２に示すように、ＡＭＰ２１０と、ＤＡＭＰ２２０と、ＷＳＳ２３０と、ＭＵＸ／ＤＥＭＵＸ２４０と、ＴＲＰＮ２５１〜２５ｎと、を備える。これらの各ＷＤＭ伝送装置は光ファイバ等で接続された多段構成となっている。
【００１８】
ＡＭＰはａｍｐｌｉｆｉｅｒ（アンプ）の略である。ＤＡＭＰはＤｒｏｐ  ａｍｐｌｉｆｉｅｒ（ドロップアンプ）の略である。ＷＳＳはＷａｖｅｌｅｎｇｔｈ  Ｓｅｌｅｃｔｉｖｅ  Ｓｗｉｔｃｈ（波長選択スイッチ）の略である。ＭＵＸ／ＤＥＭＵＸはＭｕｌｔｉｐｌｅｘｅｒ／Ｄｅｍｕｌｔｉｐｌｅｘｅｒ（マルチプレクサ／デマルチプレクサ）の略である。ＴＲＰＮはＴｒａｎｓｐｏｎｄｅｒ（トランスポンダ）の略である。
【００１９】
ＷＤＭ伝送システム１１０において、ネットワーク側からクライアント側への下りの光伝送方向をＤＲＯＰ（ドロップ）方向と称し、クライアント側からネットワーク側への上りの光伝送方向をＡＤＤ（アド）方向と称する。
【００２０】
ＡＭＰ２１０は、ネットワーク側から送信されたＤＲＯＰ方向の光信号を増幅し、増幅したＤＲＯＰ方向の光信号をＤＡＭＰ２２０へ出力する。また、ＡＭＰ２１０は、ＷＳＳ２３０から出力されたＡＤＤ方向の光信号を増幅し、増幅したＡＤＤ方向の光信号をネットワーク側へ送信する。
【００２１】
ＤＡＭＰ２２０は、ＡＭＰ２１０から出力されたＤＲＯＰ方向の光信号を増幅し、増幅したＤＲＯＰ方向の光信号をＷＳＳ２３０へ出力する。図２に示す例ではＤＡＭＰ２２０をＡＭＰ２１０とＷＳＳ２３０との間に設ける構成としているが、ＤＡＭＰ２２０をＷＳＳ２３０とＭＵＸ／ＤＥＭＵＸ２４０との間に設ける構成としてもよい。
【００２２】
ＷＳＳ２３０は、ＤＡＭＰ２２０から出力されたＤＲＯＰ方向の光信号の波長選択スイッチングを行い、波長選択スイッチングを行ったＤＲＯＰ方向の光信号をＭＵＸ／ＤＥＭＵＸ２４０へ出力する。また、ＷＳＳ２３０は、ＭＵＸ／ＤＥＭＵＸ２４０から出力されたＡＤＤ方向の光信号の波長選択スイッチングを行い、波長選択スイッチングを行ったＡＤＤ方向の光信号をＡＭＰ２１０へ出力する。
【００２３】
ＭＵＸ／ＤＥＭＵＸ２４０は、ＷＳＳ２３０から出力されたＤＲＯＰ方向の光信号を波長多重分離（分波）し、波長多重分離により得られたＤＲＯＰ方向の各光信号をそれぞれＴＲＰＮ２５１〜２５ｎへ出力する。また、ＭＵＸ／ＤＥＭＵＸ２４０は、ＴＲＰＮ２５１〜２５ｎから出力されたＡＤＤ方向の各光信号を波長多重（合波）し、波長多重により得られた光信号をＷＳＳ２３０へ出力する。
【００２４】
ＴＲＰＮ２５１〜２５ｎのそれぞれは、ＭＵＸ／ＤＥＭＵＸ２４０から出力されたＤＲＯＰ方向の光信号を受光し、受光して得られたＤＲＯＰ方向の信号（電気信号）をクライアント側へ出力する。また、ＴＲＰＮ２５１〜２５ｎのそれぞれは、クライアント側から入力されたＡＤＤ方向の信号（電気信号）を、互いに異なる波長の光信号に変換し、変換したＡＤＤ方向の光信号をＭＵＸ／ＤＥＭＵＸ２４０へ出力する。図２に示す例では、８８個のチャネル（ＣＨ１〜ＣＨ８８）に対応する８８個のＴＲＰＮ２５１〜２５ｎ（ｎ＝８８）が設けられている。
【００２５】
図２に示すように、ＷＤＭ伝送システム１１０は、複数のＷＤＭ伝送装置による多段構成である。このため、あるＷＤＭ伝送装置が故障してそのＷＤＭ伝送装置において障害（原因障害と称する）が発生すると、光伝送の経路における後段のＷＤＭ伝送装置において、原因障害から波及した障害（波及障害と称する）が多数発生する。以下の説明において、原因障害を示す警報を原因警報と称し、波及障害を示す警報を波及警報と称する。
【００２６】
（実施の形態にかかるＷＤＭ伝送装置において発生する警報）
図３は、実施の形態にかかるＷＤＭ伝送装置において発生する警報の一例を示す図である。ＷＤＭ伝送システム１１０における各ＷＤＭ伝送装置においては、たとえば図３のテーブル３００に示す各警告が発生する。テーブル３００に示すカテゴリは、警報の発生範囲を示す。たとえば、カテゴリのＥＱＰＴは、インタフェースカードやＷＤＭ伝送装置の全体が対象の警報を示す。また、カテゴリのＰｏｒｔは、ＷＤＭ伝送装置のポートが対象の警報を示す。カテゴリのＩｎｔｅｒｆａｃｅは、ＷＤＭ伝送装置のインタフェース（ｆａｃｉｌｉｔｙ）が対象の警報を示す。
【００２７】
たとえば、図２に示したＡＭＰ２１０において発生しカテゴリがＥＱＰＴの警報としては、ＲＭＶＤ、ＭＥＡ、ＦＬＴ、ＳＷＲＥＳＥＴ、ＷＡＲＭＵＰ等がある。また、ＡＭＰ２１０において発生しカテゴリがＰｏｒｔの警報としては、ＩＮＤＷＮ、ＰＯＳ等がある。また、ＡＭＰ２１０において発生しカテゴリがＩｎｔｅｒｆａｃｅの警報としては、ＢＤＩ−Ｏ、ＬＯＳ、ＰＭＩ、ＰＯＳ、ＬＯＦ、Ｎｏｌｉｇｈｔ等がある。
【００２８】
同様に、ＤＡＭＰ２２０、ＷＳＳ２３０、ＭＵＸ／ＤＥＭＵＸ２４０およびＴＲＰＮ２５１〜２５ｎのそれぞれにも、各種カテゴリの警報が設定されている。図３に示すように、ＷＤＭ伝送システム１１０における各ＷＤＭ伝送装置においては、ＷＤＭ伝送装置の種別ごとに、発生する警報が異なる。
【００２９】
（実施の形態にかかるＷＤＭ伝送装置における警報マスクハイアラーキ）
図４は、実施の形態にかかるＷＤＭ伝送装置における警報マスクハイアラーキの一例を示す図である。図４においては、一例として、ＷＳＳ２３０のＡＤＤ方向における警報マスクハイアラーキ４００について説明する。ＷＳＳ２３０は、ＡＤＤ方向における警報について、図４に示す警報マスクハイアラーキ４００を用いて警報マスク処理を行う。警報マスク処理は、一例としては、光伝送の同一の経路において検出された各警報のうちの、その経路におけるより下流のＷＤＭ伝送装置において検出された警報をマスクする処理である。警報をマスクする処理は、たとえば、その警報を警報転送経路における下流の装置へ送信しないようにする処理である。
【００３０】
警報マスクハイアラーキ４００において、たとえば、ＰＣ１は、ＷＳＳ２３０におけるクライアント側のポート番号＝１を示している。ＰＥ１は、ＷＳＳ２３０におけるネットワーク側のポート番号＝１を示している。
【００３１】
警報マスクハイアラーキ４００における四角内の文字列のそれぞれが警報に該当する。警報マスクハイアラーキ４００のうちの警報群４１０は、ＷＳＳ２３０において発生した警報を示す。警報マスクハイアラーキ４００のうちの警報群４２０は、ＷＳＳ２３０と異なるＷＤＭ伝送装置において発生した警報を示す。
【００３２】
警報マスクハイアラーキ４００の図面上の上側にある警報ほど上位の（優先順位が高い）警報である。つまり、同時に複数の警報が発生した場合には、発生した警報の上下関係（優先順位）をソフトウェアが警報マスクハイアラーキ４００に基づいて判断し、より下位（優先順位が低い）方の警報をマスクする。これが警報マスク処理である。警報マスクハイアラーキ４００は、警報マスクハイアラーキ４００に従って警報マスク処理を行うことにより、より原因障害から遠い波及障害を示す警報がマスクされるように作成される。
【００３３】
警報マスクハイアラーキ４００は、たとえば、ＷＳＳ２３０による警報マスク処理の対象となり得る警報のそれぞれについて、その警報より上位の警報、すなわちその警報をマスクする警報を示すテーブルによって実現することができる。ＷＳＳ２３０の警報マスク処理の対象となり得る警報には、ＷＳＳ２３０が検出し得るＷＳＳ２３０の障害を示す警報と、ＷＳＳ２３０が他のＷＤＭ伝送装置から受信し得る警報と、が含まれる。
【００３４】
図４においてはＷＳＳ２３０のＡＤＤ方向における警報マスクハイアラーキ４００について説明したが、ＷＳＳ２３０のＤＲＯＰ方向における警報マスクハイアラーキもＷＳＳ２３０に設定される。また、ＡＭＰ２１０、ＤＡＭＰ２２０、ＭＵＸ／ＤＥＭＵＸ２４０およびＴＲＰＮ２５１〜２５ｎのそれぞれについても同様に、ＡＤＤ方向およびＤＲＯＰ方向の警報マスクハイアラーキが設定される。
【００３５】
（実施の形態にかかるＷＤＭ伝送装置における警報の発生）
図５は、実施の形態にかかるＷＤＭ伝送システムにおける警報の発生の一例を示す図である。図５において、図２に示した部分と同様の部分については同一の符号を付して説明を省略する。たとえば、ＣＨ２のＴＲＰＮ２５２が故障し、ＴＲＰＮ２５２において警報ＦＬＴ（装置単体の故障）が発生したとする。
【００３６】
そして、ＴＲＰＮ２５２の故障から波及して、ＡＤＤ方向においてＴＲＰＮ２５２より下流（後段）のＷＳＳ２３０において警報ＩＮＤＷＮ（ＰＣ１−２）が発生したとする。ＩＮＤＷＮ（ＰＣ１−２）は、たとえば、ＷＳＳ２３０におけるクライアント側のポート＃１のチャネル＃２で光が断になったことを意味する。
【００３７】
この場合に、ＷＳＳ２３０がこれらの警報について警報マスク処理を行うと、図４に示した警報マスクハイアラーキ４００においては警報ＦＬＴより警報ＩＮＤＷＮ（ＰＣ１−２）の方が下位であるため、警報ＩＮＤＷＮ（ＰＣ１−２）がマスクされることになる。
【００３８】
（実施の形態にかかる警報転送システムにおける警報の転送）
図６は、実施の形態にかかる警報転送システムにおける警報の転送の一例を示す図である。図６において、図１に示した部分と同様の部分については同一の符号を付して説明を省略する。実施の形態にかかる警報転送システム１００においては、ＷＤＭ伝送システム１１０の各ＷＤＭ伝送装置が、図６に示すようにバケツリレー方式によりＷＤＭ伝送装置間で警報を転送する警報転送経路を形成する。
【００３９】
そして、ＷＤＭ伝送システム１１０の各ＷＤＭ伝送装置が警報マスク処理を実施し、各ＷＤＭ伝送装置によってマスクされなかった警報を、警報転送経路の最下流のＷＤＭ伝送装置がネットワーク管理サーバ１３０に通知する。警報転送経路は、ＷＤＭ伝送システム１１０の各ＷＤＭ伝送装置による光伝送の経路と同じ経路であってもよいし、ＷＤＭ伝送システム１１０の各ＷＤＭ伝送装置による光伝送の経路と異なる経路であってもよい。
【００４０】
また、各ＷＤＭ伝送装置は、各ＷＤＭ伝送装置における警報マスク処理を可能にするために、警報転送経路における下流のＷＤＭ伝送装置へ警報を送信する際に、装置間の接続情報を特定可能な警報付加情報を付加して送信する。そして、各ＷＤＭ伝送装置は、他のＷＤＭ伝送装置から警報を受信した際に、受信した警報に付加された警報付加情報に基づいてＷＤＭ伝送装置間の接続情報を特定し、警報マスクハイアラーキに従って警報マスク処理を行う。
【００４１】
警報転送経路は、たとえば各ＷＤＭ伝送装置の間のＣ−Ｐｌａｎｅによって実現される。また、警報転送経路は、各ＷＤＭ伝送装置が行う光伝送の制御チャネルによって実現されてもよいし、各ＷＤＭ伝送装置が行う光伝送とは別の通信チャネルによって実現されてもよい。図６に示す例では、ＷＤＭ伝送装置１１１〜１１６が直列に接続された警報転送経路が形成されている。ＷＤＭ伝送装置１１１〜１１６は、直接的に互いに接続されてもよいし、ハブ等を介して間接的に接続されてもよい。
【００４２】
また、ＷＤＭ伝送装置１１１が、ＷＤＭ伝送装置１１１〜１１６のうちの警報転送経路における最上流のＷＤＭ伝送装置である。また、ＷＤＭ伝送装置１１６が、ＷＤＭ伝送装置１１１〜１１６のうちの警報転送経路における最下流のＷＤＭ伝送装置である。以下の説明において、ＷＤＭ伝送装置１１１〜１１６のうちの警報転送経路における最下流のＷＤＭ伝送装置１１６を末端装置と称する。また、ＷＤＭ伝送装置１１１〜１１６のうちの末端装置ではないＷＤＭ伝送装置１１１〜１１５を隣接装置と称する。
【００４３】
図６に示したように、ＷＤＭ伝送装置１１１〜１１６がそれぞれ警報マスク処理を行って警報を転送することで、末端装置であるＷＤＭ伝送装置１１６は、原因警報を特定し、特定した原因警報をネットワーク管理サーバ１３０へ送信することができる。これにより、ＷＤＭ伝送装置１１１〜１１６の間および管理者ネットワーク網１２０において伝送される警報の数を少なくし、通信量の削減を図ることができる。また、ネットワーク管理サーバ１３０において、原因障害の特定が容易になり、障害の迅速な復旧が可能になる。
【００４４】
（実施の形態にかかるＷＤＭ伝送システム）
図７は、実施の形態にかかるＷＤＭ伝送システムの他の一例を示す図である。図７において、図２に示した部分と同様の部分については同一の符号を付して説明を省略する。ＷＤＭ伝送システム１１０は、たとえば、図７に示すように、ＡＭＰ２１０，７１０と、ＤＡＭＰ２２０，７２０と、ＷＳＳ２３０，７３０と、ＭＵＸ／ＤＥＭＵＸ２４０，７４０と、ＴＲＰＮ２５１〜２５ｎ，７５１〜７５ｎ，と、を含んでいてもよい。
【００４５】
ＷＤＭ伝送システム１１０においては、ＡＭＰごとにネットワーク側の方向が決まっており、この方向を方路と称する。図７に示す例では、ＡＭＰ２１０に対応する方路＃１と、ＡＭＰ７１０に対応する方路＃２と、がある。図７に示す例において、ＡＭＰ２１０、ＤＡＭＰ２２０、ＷＳＳ２３０、ＭＵＸ／ＤＥＭＵＸ２４０およびＴＲＰＮ２５１〜２５ｎは、ネットワーク側の方路＃１に対応するＷＤＭ伝送装置である。
【００４６】
ＡＭＰ７１０、ＤＡＭＰ７２０、ＷＳＳ７３０、ＭＵＸ／ＤＥＭＵＸ７４０およびＴＲＰＮ７５１〜７５ｎは、ネットワーク側の方路＃２に対応するＷＤＭ伝送装置である。また、ＡＭＰ７１０、ＤＡＭＰ７２０、ＷＳＳ７３０、ＭＵＸ／ＤＥＭＵＸ７４０およびＴＲＰＮ７５１〜７５ｎは、それぞれＡＭＰ２１０、ＤＡＭＰ２２０、ＷＳＳ２３０、ＭＵＸ／ＤＥＭＵＸ２４０およびＴＲＰＮ２５１〜２５ｎと同様の構成である。
【００４７】
図２においてはＷＤＭ伝送システム１１０における方路が２個である構成について説明したが、ＷＤＭ伝送システム１１０における方路は２個に限らず、１個（たとえば図２参照）や３個以上であってもよい。
【００４８】
（実施の形態にかかるＷＤＭ伝送装置が警報マスク処理に用いる情報）
図８は、実施の形態にかかるＷＤＭ伝送装置が警報マスク処理に用いる情報の一例を示す図である。ＷＤＭ伝送システム１１０の各ＷＤＭ伝送装置が警報マスク処理を行う際には、たとえば、各警報について、その各警報が同一の経路において発生した各警報か否かと、その各警報のいずれが上流でいずれが下流であるかと、を判断することを要する。
【００４９】
各警報のいずれが上流でいずれが下流であるかの判断は、たとえば、各警報のうちの、光伝送の経路においてより上流のＷＤＭ伝送装置で発生した警報はいずれであり、光伝送の経路においてより下流のＷＤＭ伝送装置で発生した警報はいずれであるかの判断である。これらの判断を行うために、ＷＤＭ伝送システム１１０の各ＷＤＭ伝送装置は、たとえば、警報のそれぞれについて、上述した警報付加情報として、方路情報８０１と、ＣＨ情報８０２と、ＡＤＤ／ＤＲＯＰ情報８０３と、ブレード名８０４と、を用いる。
【００５０】
方路情報８０１は、対象の警報がいずれの方路に属する光経路において発生したかを示す情報である。ＣＨ情報８０２は、対象の警報がいずれの波長チャネルに属する光経路において発生したかを示す情報である。ＡＤＤ／ＤＲＯＰ情報８０３は、対象の警報がＡＤＤ方向およびＤＲＯＰ方向のいずれの信号方向に属する光経路において発生したかを示す情報である。ブレード名８０４は、対象の警報が検出されたＷＤＭ伝送装置（ＷＤＭブレード）の種別を示す情報である。
【００５１】
たとえば、方路情報８０１、ＣＨ情報８０２およびＡＤＤ／ＤＲＯＰ情報８０３を用いることで、警報の各組み合わせについて、その組合せの各警報が光伝送の同一の経路において発生したか否かを判断することができる。すなわち、方路情報８０１、ＣＨ情報８０２およびＡＤＤ／ＤＲＯＰ情報８０３がすべて一致する各警報は、光伝送の同一の経路において発生した各警報であるため、警報マスク処理において互いにマスク対象になると判断することができる。このような各警報は警報マスク処理の対象となる。
【００５２】
また、方路情報８０１、ＣＨ情報８０２およびＡＤＤ／ＤＲＯＰ情報８０３の少なくとも一つの情報が一致しない各警報は、光伝送の異なる経路において発生した各警報であるため、警報マスク処理において互いにマスク対象にならないと判断することができる。
【００５３】
また、警報マスク処理において互いにマスク対象になると判断した各警報について、ＡＤＤ／ＤＲＯＰ情報８０３およびブレード名８０４を用いることで、その各警報のいずれが上流でいずれが下流であるかを判断することができる。
【００５４】
したがって、上述した方路情報８０１、ＣＨ情報８０２、ＡＤＤ／ＤＲＯＰ情報８０３およびブレード名８０４と、警報マスクハイアラーキ（たとえば図４に示した警報マスクハイアラーキ４００）と、を用いることで警報マスク処理を行うことができる。
【００５５】
（実施の形態にかかるＷＤＭ伝送システムにおいて発生した各警報の方路情報が異なる場合）
図９は、実施の形態にかかるＷＤＭ伝送システムにおいて発生した各警報の方路情報が異なる場合の一例を示す図である。図９において、図７に示した部分と同様の部分については同一の符号を付して説明を省略する。図９に示す経路９０１は方路＃１の経路であり、図９に示す経路９０２は方路＃２の経路である。したがって、経路９０１において発生した障害を示す警報と、経路９０２において発生した障害を示す警報と、は互いに方路情報８０１が異なるため警報マスク処理において互いにマスク対象とならない。
【００５６】
（実施の形態にかかるＷＤＭ伝送システムにおいて発生した各警報のＣＨ情報が異なる場合）
図１０は、実施の形態にかかるＷＤＭ伝送システムにおいて発生した各警報のＣＨ情報が異なる場合の一例を示す図である。図１０において、図７に示した部分と同様の部分については同一の符号を付して説明を省略する。図１０に示す経路１００１はＣＨ２の経路であり、図１０に示す経路１００２はＣＨ８７の経路である。
【００５７】
したがって、経路１００１において発生した障害を示す警報と、経路１００２において発生した障害を示す警報と、は互いにＣＨ情報８０２が異なるため警報マスク処理において互いにマスク対象とならない。経路１００１において発生した障害を示す警報は、一例としてはＣＨ２のＴＲＰＮ２５２の警報である。経路１００２において発生した障害を示す警報は、一例としてはＷＳＳ２３０のＩＮＤＷＮ（ＰＣ１−８７）である。
【００５８】
（実施の形態にかかるＷＤＭ伝送システムにおいて発生した各警報のＡＤＤ／ＤＲＯＰ情報が異なる場合）
図１１は、実施の形態にかかるＷＤＭ伝送システムにおいて発生した各警報のＡＤＤ／ＤＲＯＰ情報が異なる場合の一例を示す図である。図１１において、図７に示した部分と同様の部分については同一の符号を付して説明を省略する。図１１に示す経路１１０１はＡＤＤ方向の経路であり、図１１に示す経路１１０２はＤＲＯＰ方向の経路である。したがって、経路１１０１において発生した障害を示す警報と、経路１１０２において発生した障害を示す警報と、は互いにＡＤＤ／ＤＲＯＰ情報８０３が異なるため警報マスク処理において互いにマスク対象とならない。
【００５９】
図９〜図１１に示したように、方路情報８０１、ＣＨ情報８０２およびＡＤＤ／ＤＲＯＰ情報８０３を用いることにより、各警報が同一の経路において発生したか否かを判断することが可能になる。
【００６０】
（実施の形態にかかるＷＤＭ伝送システムにおいて発生した各警報の上流／下流）
図１２は、実施の形態にかかるＷＤＭ伝送システムにおいて発生した各警報の上流／下流の一例を示す図である。図１２において、図７に示した部分と同様の部分については同一の符号を付して説明を省略する。図１２に示す経路１２１０は、方路＃１、ＣＨ２かつＡＤＤ方向の経路である。障害１２１１，１２１２は、ともに経路１２１０において発生した障害である。
【００６１】
たとえば、ＯＡＤＭのＡＤＤ方向においてはＴＲＰＮ、ＭＵＸ／ＤＥＭＵＸ、ＷＳＳ、ＡＭＰの順に接続される。また、ＯＡＤＭのＤＲＯＰ方向においてはＡＭＰ、ＤＡＭＰ、ＷＳＳ、ＭＵＸ／ＤＥＭＵＸ、ＴＲＰＮの順に接続される。したがって、これらの関係を示す情報と、ＡＤＤ／ＤＲＯＰ情報８０３およびブレード名８０４と、を用いることで、光伝送の経路における各警報の相対的な上流／下流を判断することができる。
【００６２】
たとえば、障害１２１１はＭＵＸ／ＤＥＭＵＸ２４０において発生した障害であり、障害１２１２はＷＳＳ２３０において発生した障害である。この場合に、障害１２１１，１２１２の警報に対応するＡＤＤ／ＤＲＯＰ情報８０３がともにＡＤＤ方向を示し、障害１２１１の警報に対応するブレード名８０４がＭＵＸ／ＤＥＭＵＸを示し、障害１２１２の警報に対応するブレード名８０４がＷＳＳを示す。このため、障害１２１２の警報は、障害１２１１の警報よりも、光伝送の経路の下流において発生した障害の警報であると判断することができる。
【００６３】
（実施の形態にかかるＷＤＭ伝送装置が送信する警報情報）
図１３は、実施の形態にかかるＷＤＭ伝送装置が送信する警報情報の一例を示す図である。ＷＤＭ伝送装置１１１〜１１６のうちの隣接装置であるＷＤＭ伝送装置１１１〜１１５は、警報転送経路において自装置の下流側に隣接するＷＤＭ伝送装置に対して警報を送信する際に、たとえば図１３に示す警報情報１３００を送信する。
【００６４】
図１３に示す警報情報１３００は、ヘッダ１３１０と、ペイロード１３２０と、を含むＳＮＭＰメッセージのＰＤＵである。ＳＮＭＰはＳｉｍｐｌｅ  Ｎｅｔｗｏｒｋ  Ｍａｎａｇｅｍｅｎｔ  Ｐｒｏｔｏｃｏｌの略である。ＰＤＵはＰｒｏｔｏｃｏｌ  Ｄａｔａ  Ｕｎｉｔの略である。ヘッダ１３１０は、ＴＡＧ、長さ、バージョン、コミュニティ名、ＰＤＵタイプ、リクエストＩＤ、エラーステータス、エラーインデックスを含む。
【００６５】
ヘッダ１３１０のＴＡＧは、警報情報１３００の種別を示す１［ｂｙｔｅ］のタグである。ヘッダ１３１０の長さは、ＰＤＵの長さを示す１［ｂｙｔｅ］の情報である。ヘッダ１３１０のバージョンは、警報情報１３００のＳＮＭＰのバージョンを示す３［ｂｙｔｅ］の情報である。ヘッダ１３１０のコミュニティ名は、認証用の識別子を示す６［ｂｙｔｅ］の情報である。
【００６６】
ヘッダ１３１０のＰＤＵタイプは、警報情報１３００のＰＤＵのタイプを示す２［ｂｙｔｅ］の情報である。ヘッダ１３１０のリクエストＩＤは、リクエストの種別を示す６［ｂｙｔｅ］の情報である。ヘッダ１３１０のエラーステータスは、エラーの状況を示す３［ｂｙｔｅ］の情報である。ヘッダ１３１０のエラーインデックスは、エラーの種別を示す３［ｂｙｔｅ］の情報である。
【００６７】
ペイロード１３２０は、警報１３２１と、警報付加情報１３２２と、を含む。警報１３２１は、ハードウェアから検出された障害を示す情報である。警報付加情報１３２２は、各ＷＤＭ伝送装置において警報マスク処理を実施するための情報であり、たとえば、方路情報と、ブレード名と、ポート情報と、ＣＨ情報と、ＡＤＤ／ＤＲＯＰ情報と、を含む。
【００６８】
警報付加情報１３２２の方路情報、ブレード名、ＣＨ情報およびＡＤＤ／ＤＲＯＰ情報は、それぞれたとえば図８に示した方路情報８０１、ブレード名８０４、ＣＨ情報８０２およびＡＤＤ／ＤＲＯＰ情報８０３に相当する情報である。なお、警報付加情報１３２２のポート情報がなくても警報マスク処理は可能であるため、警報付加情報１３２２からポート情報を省いてもよい。
【００６９】
なお、対象の警報がＦＬＴやＳＷＲＥＳＥＴのようにＷＤＭ伝送装置の全体が対象の警報については、ＣＨ情報やポート情報がないため、たとえばＣＨ情報やポート情報の値を“０”とすることができる。これにより、警報転送経路の下流のＷＤＭ伝送装置において、対象の警報がＣＨ単位やポート単位でないことを判断することができる。
【００７０】
隣接装置であるＷＤＭ伝送装置１１１〜１１５が他のＷＤＭ伝送装置に対して送信する警報情報１３００について説明したが、末端装置であるＷＤＭ伝送装置１１６がネットワーク管理サーバ１３０へ警報を送信する際にも警報情報１３００を用いることができる。ただし、ＷＤＭ伝送装置１１６が送信する警報情報１３００においては警報付加情報１３２２を省いてもよい。
【００７１】
（実施の形態にかかるＷＤＭ伝送装置が記憶する警報管理テーブル）
図１４は、実施の形態にかかるＷＤＭ伝送装置が記憶する警報管理テーブルの一例を示す図である。ＷＤＭ伝送システム１１０における各ＷＤＭ伝送装置は、たとえば図１４に示す警報管理テーブル１４００を記憶する。
【００７２】
警報管理テーブル１４００は、登録された警報ごとに、警報名と、ブレード名（ブレードＩＤ）と、ポート情報と、方路情報と、ＣＨ情報と、ＡＤＤ／ＤＲＯＰ情報と、を項目として含む。警報管理テーブル１４００のブレード名、方路情報、ＣＨ情報およびＡＤＤ／ＤＲＯＰ情報は、それぞれたとえば図８に示したブレード名８０４、方路情報８０１、ＣＨ情報８０２およびＡＤＤ／ＤＲＯＰ情報８０３に相当する警報付加情報である。
【００７３】
ＷＤＭ伝送システム１１０における各ＷＤＭ伝送装置は、自装置において検出した警報および他のＷＤＭ伝送装置から受信した警報を警報管理テーブル１４００に登録する。そして、ＷＤＭ伝送システム１１０における各ＷＤＭ伝送装置は、自装置の警報管理テーブル１４００に登録した各警報について自装置の警報マスクハイアラーキに従って警報マスク処理を行う。
【００７４】
図１４に示す例では、警報管理テーブル１４００のレコード１４０１，１４０２に対応する各警報において、方路情報、ＣＨ情報およびＡＤＤ／ＤＲＯＰ情報が一致しているため、光伝送における同一の経路において発生した各警報であると判断することができる。したがって、この各警報が警報マスク処理においてマスク対象となる。
【００７５】
たとえば、レコード１４０１，１４０２に対応する各警報のＡＤＤ／ＤＲＯＰ情報はＡＤＤ方向を示し、レコード１４０１，１４０２に対応する各警報のブレード名はそれぞれＡＭＰおよびＷＳＳを示している。上述したように、光伝送のＡＤＤ方向の経路においては、ＡＭＰはＷＳＳより下流に接続される。したがって、警報マスク処理においては、警報マスクハイアラーキに従って、レコード１４０１に対応するＡＭＰの警報が、レコード１４０２に対応するＷＳＳの警報によってマスクされる。
【００７６】
図１４に示す例では警報管理テーブル１４００に警報名を登録する構成について説明したが、警報管理テーブル１４００に警報そのものを登録する構成としてもよい。
【００７７】
（実施の形態にかかる警報転送システムにおける警報転送処理）
つぎに、図１５〜図１８において、ＷＤＭ伝送装置１１４〜１１６およびネットワーク管理サーバ１３０における警報転送処理について説明する。図１５〜図１８に示す例では、たとえば、図５に示したように、ＷＤＭ伝送装置１１６は、警報転送経路において管理者ネットワーク網１２０を介してネットワーク管理サーバ１３０に接続された末端装置である。ＷＤＭ伝送装置１１５は、警報転送経路においてＷＤＭ伝送装置１１６の上流に接続された隣接装置である。ＷＤＭ伝送装置１１４は、警報転送経路においてＷＤＭ伝送装置１１５の上流に接続された隣接装置である。
【００７８】
（実施の形態にかかる警報転送システムにおける処理）
図１５は、実施の形態にかかる警報転送システムにおける処理の第１の例を示す図である。実施の形態にかかる警報転送システム１００においては、たとえば図１５にかかる各ステップが実行される場合がある。図１５においては、ＷＤＭ伝送装置１１５において故障１５００が発生し、故障１５００による障害を示す警報がＷＤＭ伝送装置１１５において最初に検出される場合について説明する。
【００７９】
まず、ＷＤＭ伝送装置１１５が、自装置における警報収集タイミングにおいて、故障１５００によるＷＤＭ伝送装置１１５における障害を示す警報を検出する（ステップＳ１５０１）。ステップＳ１５０１において検出される警報は、故障１５００が発生したＷＤＭ伝送装置１１５における障害を示す警報であるため原因警報である。ただし、ステップＳ１５０１の時点ではこの警報が原因警報であることはＷＤＭ伝送装置１１５において判明していない。
【００８０】
つぎに、ＷＤＭ伝送装置１１５が、ステップＳ１５０１によって検出した警報に関する警報付加情報を、その警報の検出箇所に基づいて作成する（ステップＳ１５０２）。警報付加情報には、たとえば、その警報の検出箇所を示すブレード名、ポート番号、方路情報、ＣＨ情報およびＡＤＤ／ＤＲＯＰ情報が含まれる（たとえば図８参照）。ＷＤＭ伝送装置１１５は、ステップＳ１５０２によって作成した警報付加情報を、ステップＳ１５０１によって検出した警報と対応付けて自装置の警報管理テーブル（たとえば図１４参照）に登録する。
【００８１】
つぎに、ＷＤＭ伝送装置１１５が、自装置の警報管理テーブルにおける警報を警報マスクハイアラーキ（たとえば図４参照）に従ってマスクする警報マスク処理を行う（ステップＳ１５０３）。ステップＳ１５０３の警報マスク処理においては、ステップＳ１５０１によって検出された警報はマスクされない。
【００８２】
つぎに、ＷＤＭ伝送装置１１５が、ステップＳ１５０１によって検出された警報がステップＳ１５０３の警報マスク処理によってマスクされなかったため、この警報の発生を通知する警報情報をＷＤＭ伝送装置１１６へ送信する（ステップＳ１５０４）。警報の発生を通知する警報情報は、たとえば、その警報と、その警報について作成された警報付加情報と、を含む（たとえば図１３参照）。ＷＤＭ伝送装置１１６は、自装置における警報収集タイミングにおいて、ステップＳ１５０４によって送信された警報情報を検出し、検出した警報情報に含まれる警報および警報付加情報を対応付けて自装置の警報管理テーブルに登録する。
【００８３】
つぎに、ＷＤＭ伝送装置１１６が、自装置の警報管理テーブルにおける警報を警報マスクハイアラーキに従ってマスクする警報マスク処理を行う（ステップＳ１５０５）。ステップＳ１５０５においては、ステップＳ１５０４によってＷＤＭ伝送装置１１６へ送信された警報情報が示す警報はマスクされない。
【００８４】
つぎに、ＷＤＭ伝送装置１１６が、ステップＳ１５０４によってＷＤＭ伝送装置１１６へ送信された警報情報が示す警報がマスクされず、かつ自装置が末端装置であるため、その警報について、ステップＳ１５０５の警報マスク処理から所定の保護時間待ちを行う。所定の保護時間は、たとえば、対象の警報をマスクする別の警報がＷＤＭ伝送装置１１６へ到達し得る時間である。ＷＤＭ伝送装置１１６は、所定の保護時間が満了すると、ステップＳ１５０４によってＷＤＭ伝送装置１１６へ送信された警報情報をネットワーク管理サーバ１３０へ転送する（ステップＳ１５０６）。
【００８５】
つぎに、ネットワーク管理サーバ１３０が、ステップＳ１５０６によって転送された警報情報に含まれる警報の発生を警報転送システム１００の管理者へ通知（たとえば表示）する（ステップＳ１５０７）。これにより、警報転送システム１００の管理者は、ＷＤＭ伝送装置１１５の障害を示す原因警報を参照することによってＷＤＭ伝送装置１１５の故障１５００を特定し、たとえばＷＤＭ伝送装置１１５の再起動、修理、交換等の復旧作業を行うことができる。
【００８６】
また、ＷＤＭ伝送装置１１４が、自装置における警報収集タイミングにおいて、故障１５００に起因してＷＤＭ伝送装置１１４において発生した障害を示す警報を検出したとする（ステップＳ１５０８）。ステップＳ１５０８において検出される警報は、ＷＤＭ伝送装置１１５の障害から波及してＷＤＭ伝送装置１１４において発生した障害を示す警報であるため波及警報である。ただし、ステップＳ１５０８の時点ではこの警報が波及警報であることはＷＤＭ伝送装置１１４において判明していない。
【００８７】
つぎに、ＷＤＭ伝送装置１１４が、ステップＳ１５０８によって検出した警報に関する警報付加情報を、その警報の検出箇所に基づいて作成する（ステップＳ１５０９）。ＷＤＭ伝送装置１１４は、ステップＳ１５０９によって作成した警報付加情報を、ステップＳ１５０８によって検出した警報と対応付けて自装置の警報管理テーブルに登録する。
【００８８】
つぎに、ＷＤＭ伝送装置１１４が、自装置の警報管理テーブルにおける警報を警報マスクハイアラーキに従ってマスクする警報マスク処理を行う（ステップＳ１５１０）。ステップＳ１５１０の警報マスク処理においては、ステップＳ１５０８によって検出された警報はマスクされない。
【００８９】
つぎに、ＷＤＭ伝送装置１１４が、ステップＳ１５０８によって検出された警報がステップＳ１５１０の警報マスク処理によってマスクされなかったため、この警報の発生を通知する警報情報をＷＤＭ伝送装置１１５へ送信する（ステップＳ１５１１）。ＷＤＭ伝送装置１１５は、自装置における警報収集タイミングにおいて、ステップＳ１５１１によって送信された警報情報を検出し、検出した警報情報に含まれる警報および警報付加情報を対応付けて自装置の警報管理テーブルに登録する。
【００９０】
つぎに、ＷＤＭ伝送装置１１５が、自装置の警報管理テーブルにおける警報を警報マスクハイアラーキに従ってマスクする警報マスク処理を行う（ステップＳ１５１２）。ステップＳ１５１２においては、ステップＳ１５１１によってＷＤＭ伝送装置１１５へ送信された警報情報が示す警報は、ステップＳ１５０１によって検出された警報に基づいてマスクされる。これにより、ステップＳ１５０８によって検出された波及警報についてはＷＤＭ伝送装置１１６やネットワーク管理サーバ１３０へ転送されないようにすることができる。
【００９１】
図１６は、実施の形態にかかる警報転送システムにおける処理の第２の例を示す図である。実施の形態にかかる警報転送システム１００においては、たとえば図１６にかかる各ステップが実行される場合がある。図１６においては、ＷＤＭ伝送装置１１５において故障１６００が発生し、故障１６００に起因する障害を示す警報がＷＤＭ伝送装置１１４において最初に検出される場合について説明する。
【００９２】
まず、ＷＤＭ伝送装置１１４が、自装置における警報収集タイミングにおいて、故障１６００に起因するＷＤＭ伝送装置１１４における障害を示す警報を検出する（ステップＳ１６０１）。ステップＳ１６０１において検出される警報は、ＷＤＭ伝送装置１１５の障害から波及してＷＤＭ伝送装置１１４において発生した障害を示す警報であるため波及警報である。ただし、ステップＳ１６０１の時点ではこの警報が波及警報であることはＷＤＭ伝送装置１１４において判明していない。
【００９３】
つぎに、ＷＤＭ伝送装置１１４が、ステップＳ１６０１によって検出した警報に関する警報付加情報を、その警報の検出箇所に基づいて作成する（ステップＳ１６０２）。ＷＤＭ伝送装置１１４は、ステップＳ１６０２によって作成した警報付加情報を、ステップＳ１６０１によって検出した警報と対応付けて自装置の警報管理テーブルに登録する。
【００９４】
つぎに、ＷＤＭ伝送装置１１４が、自装置の警報管理テーブルにおける警報を警報マスクハイアラーキに従ってマスクする警報マスク処理を行う（ステップＳ１６０３）。ステップＳ１６０３の警報マスク処理においては、ステップＳ１６０１によって検出された警報はマスクされない。
【００９５】
つぎに、ＷＤＭ伝送装置１１４が、ステップＳ１６０１によって検出された警報がステップＳ１６０３の警報マスク処理によってマスクされなかったため、この警報の発生を通知する警報情報をＷＤＭ伝送装置１１５へ送信する（ステップＳ１６０４）。ＷＤＭ伝送装置１１５は、自装置における警報収集タイミングにおいて、ステップＳ１６０４によって送信された警報情報を検出し、検出した警報情報に含まれる警報および警報付加情報を対応付けて自装置の警報管理テーブルに登録する。
【００９６】
つぎに、ＷＤＭ伝送装置１１５が、自装置の警報管理テーブルにおける警報を警報マスクハイアラーキに従ってマスクする警報マスク処理を行う（ステップＳ１６０５）。ステップＳ１６０５においては、ＷＤＭ伝送装置１１５における原因警報がＷＤＭ伝送装置１１５の警報管理テーブルに登録されていないため、ステップＳ１６０４によってＷＤＭ伝送装置１１５へ送信された警報情報が示す警報はマスクされない。
【００９７】
つぎに、ＷＤＭ伝送装置１１５が、ステップＳ１６０４によって送信された警報がステップＳ１６０５の警報マスク処理によってマスクされなかったため、この警報の発生を通知する警報情報をＷＤＭ伝送装置１１６へ転送する（ステップＳ１６０６）。ＷＤＭ伝送装置１１６は、自装置における警報収集タイミングにおいて、ステップＳ１６０６によって転送された警報情報を検出し、検出した警報情報に含まれる警報および警報付加情報を対応付けて自装置の警報管理テーブルに登録する。
【００９８】
つぎに、ＷＤＭ伝送装置１１６が、自装置の警報管理テーブルにおける警報を警報マスクハイアラーキに従ってマスクする警報マスク処理を行う（ステップＳ１６０７）。ステップＳ１６０７においては、ＷＤＭ伝送装置１１５における原因警報がＷＤＭ伝送装置１１６の警報管理テーブルに登録されていないため、ステップＳ１６０６によってＷＤＭ伝送装置１１６へ送信された警報情報が示す警報はマスクされない。このため、ＷＤＭ伝送装置１１６は、ステップＳ１６０６によってＷＤＭ伝送装置１１６へ送信された警報情報が示す警報についての保護時間待ちを行う。
【００９９】
また、ＷＤＭ伝送装置１１５が、ステップＳ１６０６の後に、自装置における警報収集タイミングにおいて、故障１６００によるＷＤＭ伝送装置１１５における障害を示す警報を検出したとする（ステップＳ１６０８）。ステップＳ１６０８において検出される警報は、故障１６００が発生したＷＤＭ伝送装置１１５における障害を示す警報であるため原因警報である。
【０１００】
つぎに、ＷＤＭ伝送装置１１５が、ステップＳ１６０８によって検出した警報に関する警報付加情報を、その警報の検出箇所に基づいて作成する（ステップＳ１６０９）。ＷＤＭ伝送装置１１５は、ステップＳ１６０９によって作成した警報付加情報を、ステップＳ１６０８によって検出した警報と対応付けて自装置の警報管理テーブルに登録する。
【０１０１】
つぎに、ＷＤＭ伝送装置１１５が、自装置の警報管理テーブルにおける警報を警報マスクハイアラーキに従ってマスクする警報マスク処理を行う（ステップＳ１６１０）。ステップＳ１６１０においては、ステップＳ１６０８によって検出された警報（原因警報）によって、ステップＳ１６０４によって送信された警報（波及警報）がマスクされる。
【０１０２】
つぎに、ＷＤＭ伝送装置１１５が、ステップＳ１６０８によって検出した警報の発生と、ステップＳ１６０４によって送信された警報情報が示す警報の復旧と、を通知する警報情報をＷＤＭ伝送装置１１６へ送信する（ステップＳ１６１１）。警報の復旧の通知は、その警報の転送の抑制を要求する通知である。ＷＤＭ伝送装置１１６は、自装置における警報収集タイミングにおいて、ステップＳ１６１１によって送信された警報情報を検出し、検出した警報情報に基づいて、発生が通知された警報およびその警報付加情報を対応付けて自装置の警報管理テーブルに登録する。
【０１０３】
また、ＷＤＭ伝送装置１１６は、検出した警報情報に基づいて、自装置の警報管理テーブルに登録された警報のうち、復旧が通知された警報をマスクする。この場合は、ステップＳ１６０６によってＷＤＭ伝送装置１１６へ送信された警報情報が示す警報がマスクされる。すなわち、ステップＳ１６０６によってＷＤＭ伝送装置１１６へ送信された警報情報が示す警報は、ステップＳ１６０７の警報マスク処理によってマスクされなかったが、その後の保護時間においてステップＳ１６１１の警報情報が示す警報によってマスクされる。
【０１０４】
つぎに、ＷＤＭ伝送装置１１６が、自装置の警報管理テーブルにおける警報を警報マスクハイアラーキに従ってマスクする警報マスク処理を行う（ステップＳ１６１２）。ステップＳ１６１２においては、ステップＳ１６１１によってＷＤＭ伝送装置１１６へ送信された警報情報により発生が通知された警報はマスクされない。
【０１０５】
つぎに、ＷＤＭ伝送装置１１６が、ステップＳ１６１１によってＷＤＭ伝送装置１１６へ送信された警報情報が示す警報がマスクされず、かつ自装置が末端装置であるため、その警報について、ステップＳ１６１２の警報マスク処理から所定の保護時間待ちを行う。図１６に示す例では、この保護時間中に、ステップＳ１６１１によってＷＤＭ伝送装置１１６へ送信された警報情報により発生が通知された警報の復旧を通知する警報情報はＷＤＭ伝送装置１１６へ送信されない。
【０１０６】
このため、ＷＤＭ伝送装置１１６は、保護時間が満了すると、ステップＳ１６１１によってＷＤＭ伝送装置１１６へ送信された警報情報をネットワーク管理サーバ１３０へ転送する（ステップＳ１６１３）。なお、ステップＳ１６１３において、ＷＤＭ伝送装置１１６は、警報の復旧を通知する情報を省いた警報情報をネットワーク管理サーバ１３０へ送信してもよい。
【０１０７】
つぎに、ネットワーク管理サーバ１３０が、ステップＳ１６１３によって転送された警報情報によって発生が通知された警報の発生を警報転送システム１００の管理者へ通知（たとえば表示）する（ステップＳ１６１４）。これにより、警報転送システム１００の管理者は、ＷＤＭ伝送装置１１５の障害を示す原因警報を参照することによってＷＤＭ伝送装置１１５の故障１６００を特定し、たとえばＷＤＭ伝送装置１１５の再起動、修理、交換等の復旧作業を行うことができる。
【０１０８】
図１７は、実施の形態にかかる警報転送システムにおける処理の第３の例を示す図である。実施の形態にかかる警報転送システム１００においては、たとえば図１７にかかる各ステップが実行される場合がある。図１７においては、ＷＤＭ伝送装置１１４において故障１７００が発生し、故障１７００に起因する障害を示す警報がＷＤＭ伝送装置１１５において最初に検出される場合について説明する。
【０１０９】
まず、ＷＤＭ伝送装置１１５が、自装置における警報収集タイミングにおいて、故障１７００に起因するＷＤＭ伝送装置１１５における障害を示す警報を検出する（ステップＳ１７０１）。ステップＳ１７０１において検出される警報は、ＷＤＭ伝送装置１１４の障害から波及してＷＤＭ伝送装置１１５において発生した障害を示す警報であるため波及警報である。ただし、ステップＳ１７０１の時点ではこの警報が波及警報であることはＷＤＭ伝送装置１１５において判明していない。
【０１１０】
つぎに、ＷＤＭ伝送装置１１５が、ステップＳ１７０１によって検出した警報に関する警報付加情報を、その警報の検出箇所に基づいて作成する（ステップＳ１７０２）。ＷＤＭ伝送装置１１５は、ステップＳ１７０２によって作成した警報付加情報を、ステップＳ１７０１によって検出した警報と対応付けて自装置の警報管理テーブルに登録する。
【０１１１】
つぎに、ＷＤＭ伝送装置１１５が、自装置の警報管理テーブルにおける警報を警報マスクハイアラーキに従ってマスクする警報マスク処理を行う（ステップＳ１７０３）。ステップＳ１７０３の警報マスク処理においては、ステップＳ１７０１によって検出された警報はマスクされない。
【０１１２】
つぎに、ＷＤＭ伝送装置１１４が、ステップＳ１７０１によって検出された警報がステップＳ１７０３の警報マスク処理によってマスクされなかったため、この警報の発生を通知する警報情報をＷＤＭ伝送装置１１６へ送信する（ステップＳ１７０４）。ＷＤＭ伝送装置１１６は、自装置における警報収集タイミングにおいて、ステップＳ１７０４によって送信された警報情報を検出し、検出した警報情報に含まれる警報および警報付加情報を対応付けて自装置の警報管理テーブルに登録する。
【０１１３】
つぎに、ＷＤＭ伝送装置１１６が、自装置の警報管理テーブルにおける警報を警報マスクハイアラーキに従ってマスクする警報マスク処理を行う（ステップＳ１７０５）。ステップＳ１７０５においては、ＷＤＭ伝送装置１１４における原因警報がＷＤＭ伝送装置１１６の警報管理テーブルに登録されていないため、ステップＳ１７０４によってＷＤＭ伝送装置１１６へ送信された警報情報が示す警報はマスクされない。このため、ＷＤＭ伝送装置１１６は、ステップＳ１７０４によってＷＤＭ伝送装置１１６へ送信された警報情報が示す警報について保護時間待ちを行う。
【０１１４】
また、ＷＤＭ伝送装置１１４が、自装置における警報収集タイミングにおいて、故障１７００によるＷＤＭ伝送装置１１４における障害を示す警報を検出したとする（ステップＳ１７０６）。ステップＳ１７０６において検出される警報は、故障１７００が発生したＷＤＭ伝送装置１１４における障害を示す警報であるため原因警報である。ただし、ステップＳ１７０６の時点ではこの警報が原因警報であることはＷＤＭ伝送装置１１４において判明していない。
【０１１５】
つぎに、ＷＤＭ伝送装置１１４が、ステップＳ１７０６によって検出した警報に関する警報付加情報を、その警報の検出箇所に基づいて作成する（ステップＳ１７０７）。ＷＤＭ伝送装置１１４は、ステップＳ１７０７によって作成した警報付加情報を、ステップＳ１７０６によって検出した警報と対応付けて自装置の警報管理テーブルに登録する。
【０１１６】
つぎに、ＷＤＭ伝送装置１１４が、自装置の警報管理テーブルにおける警報を警報マスクハイアラーキに従ってマスクする警報マスク処理を行う（ステップＳ１７０８）。ステップＳ１７０８の警報マスク処理においては、ステップＳ１７０６によって検出された警報はマスクされない。
【０１１７】
つぎに、ＷＤＭ伝送装置１１４は、ステップＳ１７０６によって検出された警報がステップＳ１７０８の警報マスク処理によってマスクされなかったため、この警報の発生を通知する警報情報をＷＤＭ伝送装置１１５へ送信する（ステップＳ１７０９）。ＷＤＭ伝送装置１１５は、自装置における警報収集タイミングにおいて、ステップＳ１７０９によって送信された警報情報を検出し、検出した警報情報に含まれる警報および警報付加情報を対応付けて自装置の警報管理テーブルに登録する。
【０１１８】
つぎに、ＷＤＭ伝送装置１１５が、自装置の警報管理テーブルにおける警報を警報マスクハイアラーキに従ってマスクする警報マスク処理を行う（ステップＳ１７１０）。ステップＳ１７１０においては、ステップＳ１７０１によって検出された警報（波及警報）が、ステップＳ１７０９によって送信された警報（原因警報）によりマスクされる。
【０１１９】
つぎに、ＷＤＭ伝送装置１１５が、ステップＳ１７０９によって送信された警報情報が示す警報の発生と、ステップＳ１７０１によって検出した警報の復旧と、を通知する警報情報をＷＤＭ伝送装置１１６へ送信する（ステップＳ１７１１）。ＷＤＭ伝送装置１１６は、自装置における警報収集タイミングにおいて、ステップＳ１７１１によって送信された警報情報を検出し、検出した警報情報に基づいて、発生が通知された警報およびその警報付加情報を対応付けて自装置の警報管理テーブルに登録する。
【０１２０】
また、ＷＤＭ伝送装置１１６は、検出した警報情報に基づいて、自装置の警報管理テーブルに登録された警報のうち、復旧が通知された警報をマスクする。この場合は、ステップＳ１７０４によってＷＤＭ伝送装置１１６へ送信された警報情報が示す警報がマスクされる。すなわち、ステップＳ１７０４によってＷＤＭ伝送装置１１６へ送信された警報情報が示す警報は、ステップＳ１７０５の警報マスク処理によってマスクされなかったが、その後の保護時間においてステップＳ１７１１の警報情報が示す警報によってマスクされる。
【０１２１】
つぎに、ＷＤＭ伝送装置１１６が、自装置の警報管理テーブルにおける警報を警報マスクハイアラーキに従ってマスクする警報マスク処理を行う（ステップＳ１７１２）。ステップＳ１７１２においては、ステップＳ１７１１によってＷＤＭ伝送装置１１６へ送信された警報情報が示す警報はマスクされない。
【０１２２】
つぎに、ＷＤＭ伝送装置１１６が、ステップＳ１７１１によってＷＤＭ伝送装置１１６へ送信された警報情報が示す警報がマスクされず、かつ自装置が末端装置であるため、その警報について、ステップＳ１７１２の警報マスク処理から所定の保護時間待ちを行う。図１７に示す例では、この保護時間中にこの警報の復旧を通知する警報情報はＷＤＭ伝送装置１１６へ送信されない。
【０１２３】
このため、ＷＤＭ伝送装置１１６は、保護時間が満了すると、ステップＳ１７１１によってＷＤＭ伝送装置１１６へ送信された警報情報をネットワーク管理サーバ１３０へ転送する（ステップＳ１７１３）。なお、ステップＳ１７１３において、ＷＤＭ伝送装置１１６は、警報の復旧を通知する情報を省いた警報情報をネットワーク管理サーバ１３０へ送信してもよい。
【０１２４】
つぎに、ネットワーク管理サーバ１３０が、ステップＳ１７１３によって転送された警報情報によって発生が通知された警報の発生を警報転送システム１００の管理者へ通知する（ステップＳ１７１４）。これにより、警報転送システム１００の管理者は、ＷＤＭ伝送装置１１４の障害を示す原因警報を参照することによってＷＤＭ伝送装置１１４の故障１７００を特定し、たとえばＷＤＭ伝送装置１１４の再起動、修理、交換等の復旧作業を行うことができる。
【０１２５】
図１８は、実施の形態にかかる警報転送システムにおける処理の第４の例を示す図である。実施の形態にかかる警報転送システム１００においては、たとえば図１８にかかる各ステップが実行される場合がある。図１８においては、ＷＤＭ伝送装置１１４において故障１８００が発生し、故障１８００による障害を示す警報がＷＤＭ伝送装置１１４において最初に検出される場合について説明する。
【０１２６】
まず、ＷＤＭ伝送装置１１４が、自装置における警報収集タイミングにおいて、故障１８００によるＷＤＭ伝送装置１１４における障害を示す警報を検出する（ステップＳ１８０１）。ステップＳ１８０１において検出される警報は、故障１８００が発生したＷＤＭ伝送装置１１４における障害を示す警報であるため原因警報である。ただし、ステップＳ１８０１の時点ではこの警報が原因警報であることはＷＤＭ伝送装置１１４において判明していない。
【０１２７】
つぎに、ＷＤＭ伝送装置１１４が、ステップＳ１８０１によって検出した警報に関する警報付加情報を、その警報の検出箇所に基づいて作成する（ステップＳ１８０２）。ＷＤＭ伝送装置１１４は、ステップＳ１８０２によって作成した警報付加情報を、ステップＳ１８０１によって検出した警報と対応付けて自装置の警報管理テーブルに登録する。
【０１２８】
つぎに、ＷＤＭ伝送装置１１４が、自装置の警報管理テーブルにおける警報を警報マスクハイアラーキに従ってマスクする警報マスク処理を行う（ステップＳ１８０３）。ステップＳ１８０３の警報マスク処理においては、ステップＳ１８０１によって検出された警報はマスクされない。
【０１２９】
つぎに、ＷＤＭ伝送装置１１４が、ステップＳ１８０１によって検出された警報がステップＳ１８０３の警報マスク処理によってマスクされなかったため、この警報の発生を通知する警報情報をＷＤＭ伝送装置１１５へ送信する（ステップＳ１８０４）。ＷＤＭ伝送装置１１５は、自装置における警報収集タイミングにおいて、ステップＳ１８０４によって送信された警報情報を検出し、検出した警報情報に含まれる警報および警報付加情報を対応付けて自装置の警報管理テーブルに登録する。
【０１３０】
つぎに、ＷＤＭ伝送装置１１５が、自装置の警報管理テーブルにおける警報を警報マスクハイアラーキに従ってマスクする警報マスク処理を行う（ステップＳ１８０５）。ステップＳ１８０５の警報マスク処理においては、ステップＳ１８０４によってＷＤＭ伝送装置１１５へ送信された警報情報が示す警報はマスクされない。
【０１３１】
つぎに、ＷＤＭ伝送装置１１５が、ステップＳ１８０４によって送信された警報情報が示す警報がステップＳ１８０５の警報マスク処理によってマスクされなかったため、この警報情報をＷＤＭ伝送装置１１６へ転送する（ステップＳ１８０６）。ＷＤＭ伝送装置１１６は、自装置における警報収集タイミングにおいて、ステップＳ１８０６によって送信された警報情報を検出し、検出した警報情報に含まれる警報および警報付加情報を対応付けて自装置の警報管理テーブルに登録する。
【０１３２】
つぎに、ＷＤＭ伝送装置１１６が、自装置の警報管理テーブルにおける警報を警報マスクハイアラーキに従ってマスクする警報マスク処理を行う（ステップＳ１８０７）。ステップＳ１８０７においては、ステップＳ１８０６によってＷＤＭ伝送装置１１６へ送信された警報情報が示す警報はマスクされない。
【０１３３】
つぎに、ＷＤＭ伝送装置１１６が、ステップＳ１８０６によってＷＤＭ伝送装置１１６へ送信された警報情報が示す警報がマスクされず、かつ自装置が末端装置であるため、その警報について、ステップＳ１８０７の警報マスク処理から所定の保護時間待ちを行う。図１８に示す例では、この保護時間中に、ステップＳ１８０６によってＷＤＭ伝送装置１１６へ送信された警報情報により発生が通知された警報の復旧を通知する警報情報はＷＤＭ伝送装置１１６へ送信されない。
【０１３４】
このため、ＷＤＭ伝送装置１１６は、所定の保護時間が満了すると、ステップＳ１８０６によってＷＤＭ伝送装置１１６へ送信された警報情報をネットワーク管理サーバ１３０へ転送する（ステップＳ１８０８）。なお、ステップＳ１８０８において、ＷＤＭ伝送装置１１６は、警報の復旧を通知する情報を省いた警報情報をネットワーク管理サーバ１３０へ送信してもよい。
【０１３５】
つぎに、ネットワーク管理サーバ１３０が、ステップＳ１８０８によって転送された警報情報に含まれる警報の発生を警報転送システム１００の管理者へ通知（たとえば表示）する（ステップＳ１８０９）。これにより、警報転送システム１００の管理者は、ＷＤＭ伝送装置１１４の障害を示す原因警報を参照することによってＷＤＭ伝送装置１１４の故障１８００を特定し、たとえばＷＤＭ伝送装置１１４の再起動、修理、交換等の復旧作業を行うことができる。
【０１３６】
また、ＷＤＭ伝送装置１１５が、ステップＳ１８０６の後に、自装置における警報収集タイミングにおいて、故障１８００に起因してＷＤＭ伝送装置１１５において発生した障害を示す警報を検出したとする（ステップＳ１８１０）。ステップＳ１８１０において検出される警報は、ＷＤＭ伝送装置１１４の障害から波及してＷＤＭ伝送装置１１５において発生した障害を示す警報であるため波及警報である。ただし、ステップＳ１８１０の時点ではこの警報が波及警報であることはＷＤＭ伝送装置１１５において判明していない。
【０１３７】
つぎに、ＷＤＭ伝送装置１１５が、ステップＳ１８１０によって検出した警報に関する警報付加情報を、その警報の検出箇所に基づいて作成する（ステップＳ１８１１）。ＷＤＭ伝送装置１１５は、ステップＳ１８１１によって作成した警報付加情報を、ステップＳ１８１０によって検出した警報と対応付けて自装置の警報管理テーブルに登録する。
【０１３８】
つぎに、ＷＤＭ伝送装置１１５が、自装置の警報管理テーブルにおける警報を警報マスクハイアラーキに従ってマスクする警報マスク処理を行う（ステップＳ１８１２）。ステップＳ１８１２においては、ステップＳ１８１０によって検出された警報が、ステップＳ１８０４によって送信された警報情報が示す警報によってマスクされる。これにより、ステップＳ１８１０によって検出された波及警報についてはＷＤＭ伝送装置１１６やネットワーク管理サーバ１３０へ転送されないようにすることができる。
【０１３９】
（実施の形態にかかるＷＤＭ伝送装置）
図１９は、実施の形態にかかるＷＤＭ伝送装置およびネットワーク管理サーバの一例を示す図である。ＷＤＭ伝送システム１１０における各ＷＤＭ伝送装置（たとえばＷＤＭ伝送装置１１１〜１１６）は、たとえば図１９に示すＷＤＭ伝送装置１９１０により実現することができる。
【０１４０】
ＷＤＭ伝送装置１９１０は、ＨＷ１９１１と、ＨＷアクセス部１９１２と、警報収集部１９１３と、警報管理テーブル記憶部１９１４と、マスク判定部１９１６と、警報ハイアラーキ記憶部１９１５と、警報転送部１９１７と、を備える。
【０１４１】
ＨＷ１９１１は、ＷＤＭ伝送装置１９１０における光伝送の機能を実現するハードウェアである。ＨＷ１９１１は、たとえば、上述したＡＭＰ、ＤＡＭＰ、ＷＳＳ、ＭＵＸ／ＤＥＭＵＸ、ＴＲＰＮの少なくともいずれかを実現する光回路である。ＨＷ１９１１は、一例としてはＦＰＧＡ（Ｆｉｅｌｄ  Ｐｒｏｇｒａｍｍａｂｌｅ  Ｇａｔｅ  Ａｒｒａｙ）などによって実現することができる。ＷＤＭ伝送装置１９１０における光伝送の機能に応じたＨＷ１９１１の構成については後述する（たとえば図２４〜図２６）。
【０１４２】
ＨＷ１９１１は、光伝送の経路においてＷＤＭ伝送装置１９１０の上流のＷＤＭ伝送装置から伝送路１９０１を介して送信された光信号に対して光処理を行う。そして、ＨＷ１９１１は、光処理を行った光信号を、伝送路１９０２を介して、光伝送の経路においてＷＤＭ伝送装置１９１０の下流のＷＤＭ伝送装置１９０３へ送信する。たとえば、ＷＤＭ伝送装置１９１０が上述したＡＭＰである場合は、ＨＷ１９１１は、上流のＷＤＭ伝送装置から伝送路１９０１を介して送信された光信号を増幅し、増幅した光信号を、伝送路１９０２を介して下流のＷＤＭ伝送装置１９０３へ送信する。
【０１４３】
また、ＨＷ１９１１は、たとえば伝送路１９０１から入力される光信号の状態や伝送路１９０２から出力される光信号の状態等を監視し、監視結果を示す情報をＨＷ１９１１のレジスタに格納する。この監視結果を示す情報には、障害の発生を示す警報が含まれる。この警報が示す障害には、ＨＷ１９１１の故障による障害や、光伝送の経路においてＷＤＭ伝送装置１９１０の上流における障害から波及して発生する障害がある。
【０１４４】
ＨＷアクセス部１９１２は、ＨＷ１９１１のレジスタへのアクセスを行う。ＨＷアクセス部１９１２は、一例としてはＣＰＵ（Ｃｅｎｔｒａｌ  Ｐｒｏｃｅｓｓｉｎｇ  Ｕｎｉｔ：中央処理装置）によって実現することができる。
【０１４５】
警報収集部１９１３は、所定周期（一例としては５００［ｍｓｅｃ］周期）の警報収集タイミングにおいて、ＨＷアクセス部１９１２を介してＨＷ１９１１のレジスタの読み出しを行うことにより警報の収集を行う。そして、警報収集部１９１３は、ＨＷ１９１１のレジスタから警報を検出すると、検出した警報と、その警報の検出箇所に基づいて作成した警報付加情報と、を対応付けて警報管理テーブル記憶部１９１４の警報管理テーブルに登録する。
【０１４６】
また、警報収集部１９１３は、警報収集タイミングにおいて、装置間インタフェース１９０４を介して、警報転送経路においてＷＤＭ伝送装置１９１０の上流側に隣接するＷＤＭ伝送装置から送信された警報情報を収集する。そして、警報収集部１９１３は、警報情報を検出すると、検出した警報情報に含まれる警報および警報付加情報を対応付けて警報管理テーブル記憶部１９１４の警報管理テーブルに登録する。
【０１４７】
また、警報収集部１９１３は、警報管理テーブル記憶部１９１４の警報管理テーブルの内容を変更すると、警報管理テーブル記憶部１９１４の警報管理テーブルの内容を変更したことをマスク判定部１９１６へ通知する。警報収集部１９１３は、一例としてはＣＰＵによって実現することができる。
【０１４８】
警報管理テーブル記憶部１９１４は、上述した警報管理テーブル（たとえば図１４参照）を記憶する。警報管理テーブル記憶部１９１４によって記憶された警報管理テーブルは、警報収集部１９１３によって更新される。警報管理テーブル記憶部１９１４は、一例としてはＲＡＭ（Ｒａｎｄｏｍ  Ａｃｃｅｓｓ  Ｍｅｍｏｒｙ：ランダムアクセスメモリ）によって実現することができる。
【０１４９】
警報ハイアラーキ記憶部１９１５は、上述した警報マスクハイアラーキ（たとえば図４参照）を記憶する。警報ハイアラーキ記憶部１９１５には、たとえば予め警報マスクハイアラーキが記憶されていてもよいし、外部から入力された警報マスクハイアラーキが記憶されていてもよい。警報ハイアラーキ記憶部１９１５は、たとえばＲＡＭやＲＯＭ（Ｒｅａｄ  Ｏｎｌｙ  Ｍｅｍｏｒｙ）によって実現することができる。
【０１５０】
マスク判定部１９１６は、警報管理テーブル記憶部１９１４の警報管理テーブルの内容を変更したことが警報収集部１９１３から通知されると、警報管理テーブル記憶部１９１４の警報管理テーブルにおける警報の警報マスク処理を行う。また、マスク判定部１９１６は、警報ハイアラーキ記憶部１９１５に記憶された警報マスクハイアラーキに従って警報マスク処理を行う。すなわち、マスク判定部１９１６は、警報管理テーブルに登録されている情報を警報マスクハイアラーキにマッピングして警報の上下関係を判定することによって警報マスク処理を行う。
【０１５１】
そして、マスク判定部１９１６は、警報マスク処理の後に、マスクされていない警報であってＷＤＭ伝送装置１９１０の転送先へ転送していない警報があれば、その警報およびその警報についての警報付加情報を含む警報情報を警報転送部１９１７へ出力する。また、マスク判定部１９１６は、警報転送部１９１７へ出力済みの警報情報にかかる警報が警報マスク処理によりマスクされた場合は、その警報がマスクされたことを警報転送部１９１７へ通知する。マスク判定部１９１６は、一例としてはＣＰＵによって実現することができる。
【０１５２】
警報転送部１９１７は、マスク判定部１９１６から出力された警報情報を、警報転送経路におけるＷＤＭ伝送装置１９１０の転送先へ、装置間インタフェース１９０４を介して送信する。たとえば、ＷＤＭ伝送装置１９１０が上述した隣接装置である場合は、警報転送部１９１７は、警報情報を、警報転送経路におけるＷＤＭ伝送装置１９１０の下流側に隣接するＷＤＭ伝送装置へ送信する。
【０１５３】
また、ＷＤＭ伝送装置１９１０が上述した末端装置である場合は、警報転送部１９１７は、警報情報を、管理者ネットワーク網１２０を介してネットワーク管理サーバ１３０へ送信する。この場合に、警報転送部１９１７は、ネットワーク管理サーバ１３０へ警報情報を送信する前に、所定の保護時間待機する。
【０１５４】
そして、警報転送部１９１７は、保護時間中に、その警報情報にかかる警報がマスクされたことがマスク判定部１９１６から通知されると、その警報情報をネットワーク管理サーバ１３０へ送信せずに破棄する。また、警報転送部１９１７は、保護期間が満了しても、その警報情報にかかる警報がマスクされたことがマスク判定部１９１６から通知されなかった場合は、その警報情報をネットワーク管理サーバ１３０へ送信する。このように、ＷＤＭ伝送装置１９１０が末端装置である場合は、ネットワーク管理サーバ１３０への警報情報の送信に保護時間を設けることで、警報のばたつき等を抑制することができる。
【０１５５】
保護時間は、たとえば、対象の警報をマスクする別の警報がＷＤＭ伝送装置１９１０（末端装置）へ到達し得る時間である。たとえば、保護時間は、たとえば対象の警報に応じて任意に設定することができる。また、保護時間は、たとえば、ＷＤＭ伝送システム１１０におけるＷＤＭ伝送装置の数に応じて設定してもよい。
【０１５６】
一例としては、各ＷＤＭ伝送装置において警報を収集する周期が５００［ｍｓｅｃ］であるとすると、警報の保護時間［秒］＝｛（全ＷＤＭ伝送装置数）−（警報発生装置から末端装置までＷＤＭ伝送装置数）｝×０．５＋αとすることができる。（全ＷＤＭ伝送装置数）は、ＷＤＭ伝送システム１１０の警報転送経路におけるＷＤＭ伝送装置の総数である。（警報発生装置から末端装置までＷＤＭ伝送装置数）は、対象の警報が発生したＷＤＭ伝送装置から末端装置までのＷＤＭ伝送装置の総数である。αは伝送時間の誤差等を考慮したマージンである。たとえば、図６に示したＷＤＭ伝送システム１１０のＷＤＭ伝送装置１１３において発生した警報の保護時間は、｛６−４｝×０．５＋α＝１＋α［秒］とすることができる。
【０１５７】
また、保護時間を設けずに、警報転送部１９１７は、マスク判定部１９１６から出力された警報情報を即時、ネットワーク管理サーバ１３０へ送信してもよい。
【０１５８】
図１９に示すように、ネットワーク管理サーバ１３０は、たとえば、通信部１９３１と、制御部１９３２と、通知部１９３３と、を備える。通信部１９３１は、ＷＤＭ伝送装置１９１０（末端装置）から管理者ネットワーク網１２０を介して送信された警報情報を受信する。そして、通信部１９３１は、受信した警報情報を制御部１９３２からの要求に応じて制御部１９３２へ出力する。
【０１５９】
制御部１９３２は、通信部１９３１に対して警報情報を要求し、通信部１９３１から出力された警報情報を通知部１９３３へ出力する。通知部１９３３は、制御部１９３２から出力された警報情報の内容を警報転送システム１００の管理者に通知する。通知部１９３３による通知は、たとえば、画像による表示、音声による通知等、各種の通知とすることができる。
【０１６０】
図１９に示したＷＤＭ伝送装置１９１０において、ＷＤＭ伝送システム１１０の各ＷＤＭ伝送装置のうちの自装置と異なる第２伝送装置から警報を受信する受信部は、たとえば警報収集部１９１３により実現することができる。また、ＷＤＭ伝送装置１９１０において、自装置において発生した警報を検出する検出部は、たとえばＨＷアクセス部１９１２および警報収集部１９１３により実現することができる。
【０１６１】
また、ＷＤＭ伝送装置１９１０において、受信部によって受信された警報と、検出部によって検出された警報と、を含む各警報のマスク処理を行う処理部は、たとえばマスク判定部１９１６により実現することができる。また、ＷＤＭ伝送装置１９１０において、マスク処理によってマスクされなかった警報を第３伝送装置または所定装置（ネットワーク管理サーバ１３０）へ送信する送信部は、たとえば警報転送部１９１７により実現することができる。
【０１６２】
（実施の形態にかかるＷＤＭ伝送装置（隣接装置）による処理）
図２０は、実施の形態にかかるＷＤＭ伝送装置（隣接装置）による処理の一例を示すフローチャートである。図１９に示したＷＤＭ伝送装置１９１０は、隣接装置として設けられた場合に、たとえば図２０に示す各ステップを実行する。
【０１６３】
まず、ＷＤＭ伝送装置１９１０は、ＷＤＭ伝送システム１１０において使用される各ＷＤＭ伝送装置（ＷＤＭブレード）、方路、ＣＨなどの環境情報の構築（システム構築）を行う（ステップＳ２００１）。ステップＳ２００１は、たとえば警報転送システム１００の管理者からの操作により行われる。
【０１６４】
つぎに、ＷＤＭ伝送装置１９１０は、ＷＤＭ伝送システム１１０において使用される各ＷＤＭ伝送装置のうちの末端装置および隣接装置の登録を行う（ステップＳ２００２）。ステップＳ２００２は、たとえば警報転送システム１００の管理者からの操作により行われる。ステップＳ２００２において、ＷＤＭ伝送装置１９１０は、たとえば、警報転送経路において自装置の下流側に隣接するＷＤＭ伝送装置のＩＰアドレスを、自装置からの警報の転送先アドレスとして登録する。また、ＷＤＭ伝送装置１９１０は、自装置の警報管理テーブルを初期化する。
【０１６５】
つぎに、ＷＤＭ伝送装置１９１０は、警報を収集する５００［ｍｓｅｃ］周期の警報収集タイミングを計時する警報収集周期タイマを起動する（ステップＳ２００３）。つぎに、ＷＤＭ伝送装置１９１０は、ステップＳ２００３によって起動した警報収集周期タイマに基づいて、警報収集タイミングまで待機する（ステップＳ２００４）。
【０１６６】
ステップＳ２００４において、警報収集タイミングになると、ＷＤＭ伝送装置１９１０は、自装置のＨＷ１９１１のレジスタの読み出しを行うことにより警報を収集する（ステップＳ２００５）。つぎに、ＷＤＭ伝送装置１９１０は、ステップＳ２００５によって自装置で新たに警報を検出したか否かを判断する（ステップＳ２００６）。
【０１６７】
ステップＳ２００６において、自装置で新たに警報を検出していない場合（ステップＳ２００６：Ｎｏ）は、ＷＤＭ伝送装置１９１０は、ステップＳ２００９へ移行する。自装置で新たに警報を検出した場合（ステップＳ２００６：Ｙｅｓ）は、ＷＤＭ伝送装置１９１０は、ステップＳ２００５によって検出した警報に関する警報付加情報（たとえば図８参照）を、その警報の検出箇所に基づいて作成する（ステップＳ２００７）。
【０１６８】
つぎに、ＷＤＭ伝送装置１９１０は、ステップＳ２００７によって作成した警報付加情報を、ステップＳ２００５によって検出した警報と対応付けて、自装置の警報管理テーブル（図１４参照）に登録する（ステップＳ２００８）。
【０１６９】
つぎに、ＷＤＭ伝送装置１９１０は、他装置から警報情報が送信されてきているか否かを判断する（ステップＳ２００９）。この他装置は、たとえば、ＷＤＭ伝送システム１１０の各ＷＤＭ伝送装置のうちの警報転送経路において自装置の上流側に隣接するＷＤＭ伝送装置である。
【０１７０】
ステップＳ２００９において、他装置から警報情報が送信されてきていない場合（ステップＳ２００９：Ｎｏ）は、ＷＤＭ伝送装置１９１０は、ステップＳ２０１１へ移行する。他装置から警報情報が送信されてきている場合（ステップＳ２００９：Ｙｅｓ）は、ＷＤＭ伝送装置１９１０は、他装置から送信された警報情報に含まれる警報およびその警報付加情報を自装置の警報管理テーブルに登録する（ステップＳ２０１０）。
【０１７１】
つぎに、ＷＤＭ伝送装置１９１０は、自装置の警報管理テーブルが、警報収集タイミングの一周期前から変化しているか否かを判断する（ステップＳ２０１１）。すなわち、ＷＤＭ伝送装置１９１０は、直前のステップＳ２００８，Ｓ２０１０の少なくともいずれかにおいて警報を自装置の警報管理テーブルに登録したか否かを判断する。
【０１７２】
ステップＳ２０１１において、警報管理テーブルが変化していない場合（ステップＳ２０１１：Ｎｏ）は、ＷＤＭ伝送装置１９１０は、ステップＳ２００４へ戻る。警報管理テーブルが変化している場合（ステップＳ２０１１：Ｙｅｓ）は、ＷＤＭ伝送装置１９１０は、自装置の警報管理テーブルにおける警報を警報マスクハイアラーキに従ってマスクする警報マスク処理を行う（ステップＳ２０１２）。ステップＳ２０１２における警報マスク処理については後述する（たとえば図２１参照）。
【０１７３】
つぎに、ＷＤＭ伝送装置１９１０は、ステップＳ２０１２の警報マスク処理の結果に基づいて、自装置の警報管理テーブルにおいてマスクされておらず転送先へ転送していない警報（転送を要する警報）があるか否かを判断する（ステップＳ２０１３）。
【０１７４】
ステップＳ２０１３において、マスクされておらず転送していない警報がないと判断した場合（ステップＳ２０１３：Ｎｏ）は、ＷＤＭ伝送装置１９１０は、ステップＳ２００４へ戻る。マスクされておらず転送していない警報があると判断した場合（ステップＳ２０１３：Ｙｅｓ）は、ＷＤＭ伝送装置１９１０は、その警報を転送先のＷＤＭ伝送装置へ転送し（ステップＳ２０１４）、ステップＳ２００４へ戻る。
【０１７５】
（実施の形態にかかる警報マスク処理）
図２１は、実施の形態にかかる警報マスク処理の一例を示すフローチャートである。たとえば図２０に示したステップＳ２０１２において、ＷＤＭ伝送装置１９１０は、警報マスク処理として、たとえば図２１に示す各ステップを実行する。
【０１７６】
まず、ＷＤＭ伝送装置１９１０は、自装置の警報管理テーブルから互いにマスク関係にある各警報を取得する（ステップＳ２１０１）。互いにマスク関係にある各警報は、たとえば同一のＷＤＭ伝送の経路上において発生した各警報である。たとえば、ＷＤＭ伝送装置１９１０は、自装置の警報管理テーブルにおいて変化を検出した警報と、警報付加情報（方路情報、ＣＨ情報、ＡＤＤ／ＤＲＯＰ情報）が一致する他の警報と、の組を自装置の警報管理テーブルから取得する。このとき、たとえば、ＣＨ情報が“０”である警報については、ＣＨ情報が常に一致していると判定される。
【０１７７】
つぎに、ＷＤＭ伝送装置１９１０は、ステップＳ２１０１によって取得した各警報について警報マスクハイアラーキに基づくマスク処理を行う（ステップＳ２１０２）。たとえば、ＷＤＭ伝送装置１９１０は、ステップＳ２１０１によって取得した各警報をそれぞれの警報名およびブレード名に基づいて警報マスクハイアラーキにマッピングすることにより、取得した各警報の上下関係（優先順位）を判定する。そして、ＷＤＭ伝送装置１９１０は、取得した各警報のうちのより下位の（優先順位が低い）警報をマスクする。
【０１７８】
つぎに、ＷＤＭ伝送装置１９１０は、自装置の警報管理テーブルの各警報のうちのステップＳ２１０２によってマスクされず転送先へ未通知の警報を、警報を要する警報と判定し（ステップＳ２１０３）、一連の処理を終了する。
【０１７９】
（実施の形態にかかるＷＤＭ伝送装置（末端装置）による処理）
図２２および図２３は、実施の形態にかかるＷＤＭ伝送装置（末端装置）による処理の一例を示すフローチャートである。図１９に示したＷＤＭ伝送装置１９１０は、末端装置として設けられた場合に、たとえば図２２，図２３に示す各ステップを実行する。
【０１８０】
図２２に示すステップＳ２２０１〜Ｓ２２１３は、図２０に示したステップＳ２００１〜Ｓ２０１３と同様である。ただし、ステップＳ２２０２において、ＷＤＭ伝送装置１９１０は、たとえば、ネットワーク管理サーバ１３０のＩＰアドレスを、自装置からの警報の転送先アドレスとして登録する。ステップＳ２２１２の警報マスク処理は、たとえば図２１に示した警報マスク処理と同様である。
【０１８１】
ステップＳ２２１３において、マスクされておらず転送していない警報があると判断した場合（ステップＳ２２１３：Ｙｅｓ）は、ＷＤＭ伝送装置１９１０は、その警報についての保護時間のカウントを開始する（ステップＳ２２１４）。そして、ＷＤＭ伝送装置１９１０は、図２３に示すステップＳ２２１５へ移行する。すなわち、ＷＤＭ伝送装置１９１０は、ステップＳ２２１２の警報マスク処理によって、直前に登録された警報ではなく元からあった警報がマスクされたか否かを判断する（ステップＳ２２１５）。
【０１８２】
ステップＳ２２１５において、元からあった警報がマスクされていない場合（ステップＳ２２１５：Ｎｏ）は、ＷＤＭ伝送装置１９１０は、ステップＳ２２１７へ移行する。元からあった警報がマスクされた場合（ステップＳ２２１５：Ｙｅｓ）は、ＷＤＭ伝送装置１９１０は、その警報についてステップＳ２２１４によって開始した保護時間のカウントを停止する（ステップＳ２２１６）。
【０１８３】
つぎに、ＷＤＭ伝送装置１９１０は、ステップＳ２２１４によって保護時間のカウントを開始した警報のうち保護時間を満了した警報があるか否かを判断する（ステップＳ２２１７）。保護時間を満了した警報がない場合（ステップＳ２２１７：Ｎｏ）は、ＷＤＭ伝送装置１９１０は、図２２に示したステップＳ２２０４へ戻る。保護時間を満了した警報がある場合（ステップＳ２２１７：Ｙｅｓ）は、ＷＤＭ伝送装置１９１０は、その警報をネットワーク管理サーバ１３０へ送信し（ステップＳ２２１８）、図２２に示したステップＳ２２０４へ戻る。
【０１８４】
（実施の形態にかかるＷＤＭ伝送システムのＡＤＤ方向のハードウェア構成）
図２４は、実施の形態にかかるＷＤＭ伝送システムのＡＤＤ方向のハードウェア構成の一例を示す図である。図２４において、図２に示した部分と同様の部分については同一の符号を付して説明を省略する。図２４においては、ＷＤＭ伝送システム１１０のうち、ＯＡＤＭを実現するＭＵＸ／ＤＥＭＵＸ２４０、ＷＳＳ２３０およびＡＭＰ２１０におけるＡＤＤ方向のハードウェア構成について説明する。
【０１８５】
図２４に示すように、ＭＵＸ／ＤＥＭＵＸ２４０は、ＡＤＤ方向のハードウェア構成として、たとえば、光入力部２４１１〜２４１ｎと、多重化部２４２１，２４２２，２４２３と、光出力部２４３０と、を備える。
【０１８６】
光入力部２４１１〜２４１ｎのうちの光入力部２４１１〜２４１ｍ（ｍ＜ｎ）には、それぞれＴＲＰＮ２５１〜２５ｎのうちのＴＲＰＮ２５１〜２５ｍから出力された光信号が入力される。光入力部２４１１〜２４１ｍのそれぞれは、入力された光信号を多重化部２４２１へ出力する。
【０１８７】
光入力部２４１１〜２４１ｎのうちの光入力部２４１（ｍ＋１）〜２４１ｎには、それぞれＴＲＰＮ２５１〜２５ｎのうちのＴＲＰＮ２５（ｍ＋１）〜２５ｎから出力された光信号が入力される。光入力部２４１（ｍ＋１）〜２４１ｎのそれぞれは、入力された光信号を多重化部２４２２へ出力する。
【０１８８】
多重化部２４２１は、光入力部２４１１〜２４１ｍから出力された各光信号を波長多重し、波長多重した光信号を多重化部２４２３へ出力する。多重化部２４２２は、光入力部２４１（ｍ＋１）〜２４１ｎから出力された各光信号を波長多重し、波長多重した光信号を多重化部２４２３へ出力する。
【０１８９】
多重化部２４２３は、多重化部２４２１，２４２２から出力された各光信号を波長多重し、波長多重した光信号を光出力部２４３０へ出力する。光出力部２４３０は、多重化部２４２３から出力された光信号をＷＳＳ２３０へ出力する。
【０１９０】
図２４に示すように、ＷＳＳ２３０は、ＡＤＤ方向のハードウェア構成として、光入力部２４４１〜２４４Ｎと、分岐部２４５１と、ＯＣＭモジュール２４５２（ＯＣＭ  Ｍｏｄ）と、セレクタ２４５３と、合波部２４５５と、光出力部２４５６と、を備える。ＯＣＭはＯｐｔｉｃａｌ  Ｃｈａｎｎｅｌ  Ｍｏｎｉｔｏｒの略である。
【０１９１】
光入力部２４４１には、ＭＵＸ／ＤＥＭＵＸ２４０から出力された光信号が入力される。光入力部２４４１は、入力した光信号を分岐部２４５１へ出力する。２４４２〜２４４Ｎには、それぞれＭＵＸ／ＤＥＭＵＸ２４０と異なるＭＵＸ／ＤＥＭＵＸから出力された光信号が入力される。光入力部２４４２〜２４４Ｎのそれぞれは、入力された光信号をセレクタ２４５３へ出力する。
【０１９２】
分岐部２４５１は、光入力部２４４１から出力された光信号を分岐し、分岐した光信号をそれぞれＯＣＭモジュール２４５２およびセレクタ２４５３へ出力する。ＯＣＭモジュール２４５２は、分岐部２４５１から出力された光信号のモニタを行い、モニタ結果を示す光信号を合波部２４５５へ出力する。なお、図２４に示す例では、ＯＣＭモジュール２４５２が分岐部２４５１から出力された光信号のモニタを行う場合について説明したが、ＯＣＭモジュール２４５２が光入力部２４４２〜２４４Ｎから出力された各光信号のモニタを行う構成としてもよい。
【０１９３】
セレクタ２４５３は、光入力部２４４２〜２４４Ｎおよび分岐部２４５１から出力された各光信号のうちいずれかの光信号を選択して合波部２４５５へ出力する。合波部２４５５は、セレクタ２４５３およびＯＣＭモジュール２４５２から出力された各光信号を合波し、合波した光信号を光出力部２４５６へ出力する。光出力部２４５６は、合波部２４５５から出力された光信号をＡＭＰ２１０へ出力する。
【０１９４】
図２４に示すように、ＡＭＰ２１０は、ＡＤＤ方向のハードウェア構成として、たとえば、光入力部２４６１と、ポストアンプ２４６２と、増幅器２４６３と、ＯＳＣモジュール２４６４と、合波部２４６５と、光出力部２４６６と、を備える。ＯＳＣはＯｐｔｉｃａｌ  Ｓｕｐｅｒｖｉｓｏｒ  Ｃｈａｎｎｅｌ（監視専用チャネル）の略である。
【０１９５】
光入力部２４６１には、ＷＳＳ２３０から出力された光信号が入力される。光入力部２４６１は、入力された光信号をポストアンプ２４６２へ出力する。ポストアンプ２４６２は、光入力部２４６１から出力された光信号を増幅し、増幅した光信号を増幅器２４６３へ出力する。増幅器２４６３は、ポストアンプ２４６２から出力された光信号を増幅し、増幅した光信号を合波部２４６５へ出力する。ＯＳＣモジュール２４６４は、たとえばＡＭＰ２１０における障害を検出し、検出した障害を示すＯＳＣの制御信号を含む光信号を合波部２４６５へ出力する。
【０１９６】
合波部２４６５は、増幅器２４６３およびＯＳＣモジュール２４６４から出力された各光信号を合波し、合波した光信号を光出力部２４６６へ出力する。光出力部２４６６は、合波部２４６５から出力された光信号を、伝送路２４０１を介して送信する。
【０１９７】
ＭＵＸ／ＤＥＭＵＸ２４０、ＷＳＳ２３０およびＡＭＰ２１０におけるＡＤＤ方向の構成について説明したが、たとえば図７に示したＭＵＸ／ＤＥＭＵＸ７４０、ＷＳＳ７３０およびＡＭＰ７１０におけるＡＤＤ方向の構成についても同様である。
【０１９８】
（実施の形態にかかるＷＤＭ伝送システムのＤＲＯＰ方向のハードウェア構成）
図２５は、実施の形態にかかるＷＤＭ伝送システムのＤＲＯＰ方向のハードウェア構成の一例を示す図である。図２５において、図２に示した部分と同様の部分については同一の符号を付して説明を省略する。図２５においては、ＷＤＭ伝送システム１１０のうち、ＯＡＤＭを実現するＡＭＰ２１０、ＤＡＭＰ２２０、ＷＳＳ２３０およびＭＵＸ／ＤＥＭＵＸ２４０におけるＤＲＯＰ方向のハードウェア構成について説明する。
【０１９９】
図２５に示すように、ＡＭＰ２１０は、ＤＲＯＰ方向のハードウェア構成として、光入力部２５１１と、ＤＲＡモジュール２５１２（ＤＲＡ  Ｍｏｄ）と、合波部２５１３と、を備える。また、ＡＭＰ２１０は、ＤＲＯＰ方向のハードウェア構成として、ＯＳＣモジュール２５１４と、合波部２５１５と、プリアンプ２５１６と、光出力部２５１７と、を備える。ＤＲＡはＤｉｓｔｒｉｂｕｔｅｄ  Ｒａｍａｎ  Ａｍｐｌｉｆｉｃａｔｉｏｎ（分布ラマン増幅）の略である。
【０２００】
光入力部２５１１には、他のＷＤＭ伝送装置から伝送路２５０１を介して送信された光信号が入力される。光入力部２５１１は、入力された光信号を合波部２５１３へ出力する。ＤＲＡモジュール２５１２は、分布ラマン増幅のための励起光を発振して合波部２５１３へ出力する。
【０２０１】
合波部２５１３は、光入力部２５１１から出力された光信号を合波部２５１５へ出力する。また、合波部２５１３は、ＤＲＡモジュール２５１２から出力された励起光を光入力部２５１１へ出力する。これにより、伝送路２５０１から送信された光信号が分布ラマン増幅されて光入力部２５１１へ入力される。ＯＳＣモジュール２５１４は、たとえばＡＭＰ２１０における障害を検出し、検出した障害を示すＯＳＣの制御信号を含む光信号を合波部２５１５へ出力する。
【０２０２】
合波部２５１５は、合波部２５１３およびＯＳＣモジュール２５１４から出力された各光信号を合波し、合波した光信号をプリアンプ２５１６へ出力する。プリアンプ２５１６は、合波部２５１５から出力された光信号を増幅し、増幅した光信号を光出力部２５１７へ出力する。光出力部２５１７は、プリアンプ２５１６から出力された光信号をＷＳＳ２３０へ出力する。
【０２０３】
図２５に示すように、ＷＳＳ２３０は、ＤＲＯＰ方向のハードウェア構成として、光入力部２５２１と、分岐部２５２２と、ＯＣＭモジュール２５２３（ＯＣＭ  Ｍｏｄ）と、分岐部２５２４と、セレクタ２５２５と、光出力部２５３１〜２５３Ｎと、を備える。
【０２０４】
光入力部２５２１には、ＡＭＰ２１０から出力された光信号が入力される。光入力部２５２１は、入力された光信号を分岐部２５２２へ出力する。分岐部２５２２は、光入力部２５２１から出力された光信号を分岐し、分岐した各光信号をＯＣＭモジュール２５２３および分岐部２５２４へ出力する。ＯＣＭモジュール２５２３は、分岐部２５２２から出力された光信号のモニタを行う。
【０２０５】
分岐部２５２４は、分岐部２５２２から出力された光信号を分岐し、分岐した各光信号をセレクタ２５２５および光出力部２５３１へ出力する。セレクタ２５２５は、分岐部２５２４から出力された光信号を、光出力部２５３２〜２５３Ｎのいずれかへ出力する。
【０２０６】
光出力部２５３１は、分岐部２５２４から出力された光信号をＤＡＭＰ２２０へ出力する。光出力部２５３２〜２５３Ｎは、セレクタ２５２５から出力された光信号を、それぞれＤＡＭＰ２２０と異なる他のＷＤＭ伝送装置へ出力する。
【０２０７】
図２５に示すように、ＤＡＭＰ２２０は、ＤＲＯＰ方向のハードウェア構成として、たとえば、光入力部２５４１と、アンプ２５４２と、光出力部２５４３と、光入力部２５４４と、監視部２５４５と、を備える。
【０２０８】
光入力部２５４１には、ＷＳＳ２３０から出力された光信号が入力される。光入力部２５４１は、入力された光信号をアンプ２５４２へ出力する。アンプ２５４２は、光入力部２５４１から出力された光信号を増幅し、増幅した光信号を光出力部２５４３へ出力する。光出力部２５４３は、アンプ２５４２から出力された光信号をＭＵＸ／ＤＥＭＵＸ２４０へ出力する。
【０２０９】
光入力部２５４４には、ＭＵＸ／ＤＥＭＵＸ２４０から出力された光信号が入力される。光入力部２５４４は、入力された光信号を監視部２５４５へ出力する。監視部２５４５は、光入力部２５４４から出力された光信号に含まれるＭＵＸ／ＤＥＭＵＸ２４０の警報を監視する。
【０２１０】
図２５に示すように、ＭＵＸ／ＤＥＭＵＸ２４０は、ＤＲＯＰ方向のハードウェア構成として、たとえば、光入力部２５５１と、分岐部２５５２と、光出力部２５５３と、多重分離部２５５４，２５５５，２５５６と、光出力部２５６１〜２５６ｎと、を備える。
【０２１１】
光入力部２５５１には、ＤＡＭＰ２２０から出力された光信号が入力される。光入力部２５５１は、入力された光信号を分岐部２５５２へ出力する。分岐部２５５２は、光入力部２５５１から出力された光信号を分岐し、分岐した各光信号を光出力部２５５３および多重分離部２５５４へ出力する。光出力部２５５３は、分岐部２５５２から出力された光信号をＤＡＭＰ２２０へ出力する。多重分離部２５５４がＤＡＭＰ２２０へ出力する光信号には、ＭＵＸ／ＤＥＭＵＸ２４０の警報が含まれる。
【０２１２】
多重分離部２５５４は、分岐部２５５２から出力された光信号を波長多重分離し、波長多重分離した各光信号をそれぞれ多重分離部２５５５，２５５６へ出力する。多重分離部２５５５は、多重分離部２５５４から出力された光信号を波長多重分離し、波長多重分離した各光信号を、光出力部２５６１〜２５６ｎのうちのそれぞれ光出力部２５６１〜２５６ｍへ出力する。多重分離部２５５６は、多重分離部２５５４から出力された光信号を波長多重分離し、波長多重分離した各光信号を、光出力部２５６１〜２５６ｎのうちのそれぞれ光出力部２５６（ｍ＋１）〜２５６ｎへ出力する。
【０２１３】
光出力部２５６１〜２５６ｎのうちの光出力部２５６１〜２５６ｍは、多重分離部２５５５から出力された光信号を、ＴＲＰＮ２５１〜２５ｎのうちのそれぞれＴＲＰＮ２５１〜２５ｍへ出力する。光出力部２５６１〜２５６ｎのうちの光出力部２５６（ｍ＋１）〜２５６ｎは、多重分離部２５５６から出力された光信号を、ＴＲＰＮ２５１〜２５ｎのうちのそれぞれＴＲＰＮ２５（ｍ＋１）〜２５ｎへ出力する。
【０２１４】
なお、図２５に示す例では、ＷＳＳ２３０とＭＵＸ／ＤＥＭＵＸ２４０との間にＤＡＭＰ２２０を設ける構成について説明したが、たとえば図２に示したように、ＡＭＰ２１０とＷＳＳ２３０との間にＤＡＭＰ２２０を設ける構成としてもよい。
【０２１５】
ＡＭＰ２１０、ＤＡＭＰ２２０、ＷＳＳ２３０、ＭＵＸ／ＤＥＭＵＸ２４０におけるＤＲＯＰ方向の構成について説明したが、図７のＡＭＰ７１０、ＤＡＭＰ７２０、ＷＳＳ７３０、ＭＵＸ／ＤＥＭＵＸ７４０におけるＤＲＯＰ方向の構成についても同様である。
【０２１６】
（実施の形態にかかるＴＲＰＮのハードウェア構成）
図２６は、実施の形態にかかるＴＲＰＮのハードウェア構成の一例を示す図である。上述したＴＲＰＮ２５１〜２５ｎのそれぞれは、たとえば図２６に示すＴＲＰＮ２６００（１００ＧｂＥ  ＴＲＰＮ）により実現することができる。１００ＧｂＥは、１００ギガビットイーサネット（１００Ｇｂｉｔ  Ｅｔｈｅｒｎｅｔ）の略である。なおイーサネット（Ｅｔｈｅｒｎｅｔ）は登録商標である。
【０２１７】
ＴＲＰＮ２６００は、光入力部２６１１と、光出力部２６１２と、ＣＦＰモジュール２６２０（１００ＧｂＥ  ＣＦＰ）と、マッパＦＰＧＡ２６３０と、フレーマＦＰＧＡ２６４０と、を備える。また、ＴＲＰＮ２６００は、ＮＢモジュール２６５０と、電気出力部２６６１と、電気入力部２６６２と、プリアンプ２６６３と、を備える。ＣＦＰはＣｅｎｔｕｍ  ｇｉｇａｂｉｔ  Ｆｏｒｍ−ｆａｃｔｏｒ  Ｐｌｕｇｇａｂｌｅの略である。ＮＢはＮａｒｒｏｗ  Ｂａｎｄの略である。
【０２１８】
ＣＦＰモジュール２６２０には、光入力部２６１１を介して、ＭＵＸ／ＤＥＭＵＸ２４０からの光信号が入力される。ＣＦＰモジュール２６２０は、入力された光信号を電気信号に変換し、変換した電気信号をマッパＦＰＧＡ２６３０へ出力する。また、ＣＦＰモジュール２６２０は、マッパＦＰＧＡ２６３０から出力された電気信号を光信号に変換し、変換した光信号を、光出力部２６１２を介してＭＵＸ／ＤＥＭＵＸ２４０へ出力する。
【０２１９】
マッパＦＰＧＡ２６３０は、ＣＦＰモジュール２６２０から出力された信号のデマッピングを行い、デマッピングにより得られたフレーム信号をフレーマＦＰＧＡ２６４０へ出力する。また、マッパＦＰＧＡ２６３０は、フレーマＦＰＧＡ２６４０から出力されたフレーム信号のマッピングを行い、マッピングにより得られた電気信号をＣＦＰモジュール２６２０へ出力する。
【０２２０】
フレーマＦＰＧＡ２６４０は、マッパＦＰＧＡ２６３０から出力されたフレーム信号をデフレームし、デフレームにより得られた信号をＮＢモジュール２６５０へ出力する。また、フレーマＦＰＧＡ２６４０は、ＮＢモジュール２６５０から出力された信号をフレーム化し、フレーム化により得られたフレーム信号をマッパＦＰＧＡ２６３０へ出力する。
【０２２１】
ＮＢモジュール２６５０は、フレーマＦＰＧＡ２６４０から出力された狭帯域の信号を処理する狭帯域処理を行い、狭帯域処理を行った信号を電気出力部２６６１へ出力する。また、ＮＢモジュール２６５０は、プリアンプ２６６３から出力された信号を狭帯域化する狭帯域処理を行い、狭帯域処理を行った信号をフレーマＦＰＧＡ２６４０へ出力する。
【０２２２】
電気出力部２６６１は、ＮＢモジュール２６５０から出力された信号をクライアント側へ出力する。電気入力部２６６２には、クライアント側から出力された信号が入力される。電気入力部２６６２は、入力された信号をプリアンプ２６６３へ出力する。プリアンプ２６６３は、電気入力部２６６２から出力された信号を増幅し、増幅した信号をＮＢモジュール２６５０へ出力する。
【０２２３】
（実施の形態にかかるＷＤＭ伝送システムにおけるＷＤＭ伝送装置の配置）
図２７は、実施の形態にかかるＷＤＭ伝送システムにおけるＷＤＭ伝送装置の配置の一例を示す図である。図２７において、図１に示した部分と同様の部分については同一の符号を付して説明を省略する。ＷＤＭ伝送システム１１０における各ＷＤＭ伝送装置は、一例としては、図２７に示すようにツリー状に警報転送経路を形成する。ＷＤＭ伝送システム１１０における各ＷＤＭ伝送装置の配置の仕方を工夫することで、隣接するＷＤＭ伝送装置間の帯域を効率よく使用することが可能である。
【０２２４】
まず、末端から離れたＷＤＭ伝送装置において発生した警報は、多くのＷＤＭ伝送装置を経由して転送される。このため、隣接するＷＤＭ伝送装置間を通過する警報の数を減らすためには、多く警報が発生するＷＤＭ伝送装置を末端付近に配置する。ＷＤＭの特性上、ＴＲＰＮの信号をＭＵＸ／ＤＥＭＵＸで合波して信号が流れるなどの理由から、ＴＲＰＮに比べてＡＭＰやＷＳＳの方において警報がより多く発生する傾向にある。また、警報を転送するＷＤＭ伝送装置の段数が多いと管理者への通知が遅くなるため、可能な限り転送の段数を減らすことが望ましい。
【０２２５】
そのために、たとえばＡＤＤ方向の光伝送の経路を形成する各ＷＤＭ伝送装置が形成する警報転送経路においては、ＴＲＰＮの最上流に配置し、ＭＵＸ／ＤＥＭＵＸ、ＷＳＳ、ＡＭＰをＴＲＰＮより下流に配置してもよい。これにより、ＡＤＤ方向において多くの警報が発生しやすいＭＵＸ／ＤＥＭＵＸ、ＷＳＳ、ＡＭＰを警報転送経路の下流側に配置し、全体の警報の転送回数を低減することができる。
【０２２６】
すなわち、クライアント側のＷＤＭ伝送装置（ＴＲＰＮ）で発生する故障の波及警報は比較的少量で、ネットワーク側（ＡＭＰ）で発生する故障の波及警報は大量になる。これに着目し、警報転送経路をクライアント側のＷＤＭ伝送装置（ＴＲＰＮ）からネットワーク側（ＡＭＰ）に向かってバケツリレーすることで、ＷＤＭ伝送装置間の無駄な通信を削減することができる。
【０２２７】
このように、実施の形態にかかるＷＤＭ伝送装置１９１０は、第１伝送装置において検出された通信に関する警報を第２伝送装置から受信し、自装置において発生した通信に関する警報を検出し、これらの各警報のマスク処理を行う。第１伝送装置は、第２伝送装置である場合と、第２伝送装置と異なる伝送装置である場合と、がある。ＷＤＭ伝送装置１９１０は、自装置が隣接装置である場合は、マスク処理によってマスクされなかった警報を第３伝送装置へ送信する。また、ＷＤＭ伝送装置１９１０は、自装置が末端装置である場合は、マスク処理によってマスクされなかった警報を所定装置へ送信する。
【０２２８】
これにより、ＷＤＭ伝送システム１１０における各ＷＤＭ伝送装置が、マスク処理を行いながら警報を直列に（バケツリレー方式で）ネットワーク管理サーバ１３０へ転送することができる。このため、たとえばＷＤＭ伝送システム１１０における各ＷＤＭ伝送装置の警報を集約する集約装置がなくても、警報の転送に要するトラフィック（通信量）を少なくすることができる。たとえば、従来の集約装置を用いたシェルフ型ＷＤＭ伝送装置から、集約装置を用いないブレード型ＷＤＭ伝送装置に移行した場合に、警報発生による高負荷状態を回避することが可能となる。
【０２２９】
たとえば、マスク処理によってマスクされず第３伝送装置へ送信される警報は、第１伝送装置において検出された警報のみである場合と、ＷＤＭ伝送装置１９１０において検出された警報のみである場合と、これらの両方の警報である場合と、がある。
【０２３０】
第１伝送装置は、たとえばＷＤＭ伝送システム１１０における複数のＷＤＭ伝送装置のうちの警報転送経路においてＷＤＭ伝送装置１９１０より上流側のＷＤＭ伝送装置である。第２伝送装置は、たとえばＷＤＭ伝送システム１１０における複数のＷＤＭ伝送装置のうちの、警報転送経路においてＷＤＭ伝送装置１９１０の上流側に隣接するＷＤＭ伝送装置である。第１伝送装置および第２伝送装置は、同一の伝送装置であってもよいし異なる伝送装置であってもよい。第３伝送装置は、ＷＤＭ伝送システム１１０における複数のＷＤＭ伝送装置のうちの、警報転送経路においてＷＤＭ伝送装置１９１０の下流側に隣接する伝送装置である。
【０２３１】
ＷＤＭ伝送システム１１０がＯＡＤＭである構成について説明したが、ＷＤＭ伝送システム１１０はＯＡＤＭに限らず、相互に接続され光伝送を行う複数のＷＤＭ伝送装置によって実現される各種のＷＤＭ伝送システムとすることができる。
【０２３２】
以上説明したように、伝送装置、警報転送方法および警報転送システムによれば、警報の転送に要するトラフィックを少なくすることができる。
【０２３３】
たとえば、仮に、図１に示したＷＤＭ伝送システム１１０の各ＷＤＭ伝送装置がそれぞれネットワーク管理サーバ１３０へ警報を送信すると、原因警報に加えて多数の波及警報がネットワーク管理サーバ１３０へ送信されることになる。このため、ネットワーク管理サーバ１３０へ送信された警報のうちの原因警報をネットワーク管理サーバ１３０において特定することが困難になる。したがって、ＷＤＭ伝送システム１１０における故障箇所の特定が困難になり、障害の復旧に時間がかかってしまう。
【０２３４】
また、たとえば、ＷＤＭ伝送システム１１０における各ＷＤＭ伝送装置の接続情報を管理する集約装置が、各ＷＤＭ伝送装置から送信された各警報のうちの波及警報をマスクして原因警報のみをネットワーク管理サーバ１３０へ転送することが考えられる。しかしながら、たとえばブレード型ＷＤＭ伝送装置においては、このような集約装置が設けられないため、原因警報のみをネットワーク管理サーバ１３０へ転送することはできない。
【０２３５】
これに対し、上述した実施の形態によれば、ブレード型の各ＷＤＭ伝送装置の個々からの警報を各ＷＤＭ伝送装置がバケツリレー方式でネットワーク管理サーバ１３０へ転送するとともに、各ＷＤＭ伝送装置が警報をマスクすることができる。これにより、ＷＤＭ伝送装置からネットワーク管理サーバ１３０への警報の転送に要するトラフィックを少なくすることができる。すなわち、ＷＤＭ伝送装置間の転送段階で、各ＷＤＭ伝送装置が、受信した警報と自身の警報との包括関係による、転送警報のマスクが簡単な仕組みで実現できる。
【０２３６】
上述した各実施の形態に関し、さらに以下の付記を開示する。
【０２３７】
（付記１）相互に接続され通信を行う複数の伝送装置に含まれる伝送装置であって、
前記複数の伝送装置のうちの自装置と異なる第１伝送装置において検出された第１警報を、前記複数の伝送装置のうちの自装置と異なる第２伝送装置から受信する受信部と、
自装置の第２警報を検出する検出部と、
前記受信部によって受信された前記第１警報と、前記検出部によって検出された前記第２警報と、を含む各警報のマスク処理を行う処理部と、
前記各警報のうちの前記処理部の前記マスク処理によってマスクされなかった警報を、前記複数の伝送装置のうちの自装置および前記第２伝送装置と異なる第３伝送装置へ送信し、または前記複数の伝送装置のいずれとも異なる所定装置へ送信する送信部と、
を備えることを特徴とする伝送装置。
【０２３８】
（付記２）前記複数の伝送装置は、前記所定装置へ警報を転送する転送経路を形成し、
前記第１伝送装置は、前記複数の伝送装置のうちの、前記転送経路において自装置より上流側の伝送装置であり、
前記第２伝送装置は、前記複数の伝送装置のうちの、前記転送経路において自装置の上流側に隣接する伝送装置であり、
前記第３伝送装置は、前記複数の伝送装置のうちの、前記転送経路において自装置の下流側に隣接する伝送装置である、
ことを特徴とする付記１に記載の伝送装置。
【０２３９】
（付記３）前記送信部は、
自装置が前記転送経路において前記複数の伝送装置のうちの最下流の伝送装置でない場合は、前記マスクされなかった警報を前記第３伝送装置へ送信し、
自装置が前記最下流の伝送装置である場合は前記マスクされなかった警報を前記所定装置へ送信する、
ことを特徴とする付記２に記載の伝送装置。
【０２４０】
（付記４）前記送信部は、自装置が前記転送経路において前記複数の伝送装置のうちの最下流の伝送装置である場合は、前記マスク処理の後に所定時間だけ待機し、前記マスクされなかった警報が前記所定時間における前記マスク処理によってマスクされなかった場合に、前記マスクされなかった警報を前記所定装置へ送信することを特徴とする付記２または３に記載の伝送装置。
【０２４１】
（付記５）前記受信部は、前記第１伝送装置において検出された前記第１警報と、前記第１伝送装置において検出された前記第１警報が検出された前記通信の経路および前記通信の経路における前記第１伝送装置の位置を特定可能な情報と、を前記第２伝送装置から受信し、
前記処理部は、前記受信部によって受信された前記情報に基づいて前記マスク処理を行い、
前記送信部は、前記マスクされなかった警報と、前記マスクされなかった警報が検出された前記通信の経路および前記マスクされなかった警報が検出された伝送装置の前記通信の経路における位置を特定可能な情報と、を前記第３伝送装置へ送信し、または前記マスクされなかった警報を前記所定装置へ送信する、
ことを特徴とする付記１〜４のいずれか一つに記載の伝送装置。
【０２４２】
（付記６）前記処理部は、前記情報によって特定される前記通信の経路および前記検出部によって前記第２警報が検出された前記通信の経路の比較結果と、前記情報によって特定される前記第１伝送装置の位置および前記通信の経路における自装置の位置の比較結果と、に基づいて前記マスク処理を行うことを特徴とする付記５に記載の伝送装置。
【０２４３】
（付記７）前記受信部によって受信される前記情報は、前記第１伝送装置の種別と、前記第１伝送装置において検出された前記第１警報が検出された前記通信の経路の方路、波長チャネルおよび信号方向と、を示す情報であり、
前記送信部によって送信される前記情報は、前記マスクされなかった警報が検出された伝送装置の種別と、前記マスクされなかった警報が検出された前記通信の経路の方路、波長チャネルおよび信号方向と、を示す情報である、
ことを特徴とする付記５または６に記載の伝送装置。
【０２４４】
（付記８）前記マスク処理は、前記通信の同一の経路において検出された各警報のうちの、前記同一の経路におけるより下流の伝送装置によって検出された警報をマスクする処理であることを特徴とする付記１〜７のいずれか一つに記載の伝送装置。
【０２４５】
（付記９）相互に接続され通信を行う複数の伝送装置に含まれる伝送装置による警報転送方法であって、
前記複数の伝送装置のうちの自装置と異なる第１伝送装置において検出された第１警報を、前記複数の伝送装置のうちの自装置と異なる第２伝送装置から受信し、
自装置の第２警報を検出し、
受信した前記第１警報と検出した前記第２警報とを含む各警報のマスク処理を行い、
前記各警報のうちの前記マスク処理によってマスクされなかった警報を、前記複数の伝送装置のうちの自装置および前記第２伝送装置と異なる第３伝送装置へ送信し、または前記複数の伝送装置のいずれとも異なる所定装置へ送信する、
ことを特徴とする警報転送方法。
【０２４６】
（付記１０）相互に接続され通信を行う複数の伝送装置を含む警報転送システムであって、
前記複数の伝送装置のそれぞれが、
前記複数の伝送装置のうちの自装置と異なる第１伝送装置において検出された第１警報を、前記複数の伝送装置のうちの自装置と異なる第２伝送装置から受信し、
自装置の第２警報を検出し、
受信した前記第１警報と検出した前記第２警報とを含む各警報のマスク処理を行い、
前記各警報のうちの前記マスク処理によってマスクされなかった警報を、前記複数の伝送装置のうちの自装置および前記第２伝送装置と異なる第３伝送装置へ送信し、または前記複数の伝送装置のいずれとも異なる所定装置へ送信する、
ことを特徴とする警報転送システム。
【符号の説明】
【０２４７】
１００  警報転送システム
１１０  ＷＤＭ伝送システム
１１１〜１１６，１９０３，１９１０  ＷＤＭ伝送装置
１２０  管理者ネットワーク網
１３０  ネットワーク管理サーバ
２１０，７１０  ＡＭＰ
２２０，７２０  ＤＡＭＰ
２３０，７３０  ＷＳＳ
２４０，７４０  ＭＵＸ／ＤＥＭＵＸ
２５１〜２５ｎ，７５１〜７５ｎ，２６００  ＴＲＰＮ
３００  テーブル
４００  警報マスクハイアラーキ
４１０，４２０  警報群
８０１  方路情報
８０２  ＣＨ情報
８０３  ＡＤＤ／ＤＲＯＰ情報
８０４  ブレード名
９０１，９０２，１００１，１００２，１１０１，１１０２，１２１０  経路
１２１１，１２１２  障害
１３００  警報情報
１３１０  ヘッダ
１３２０  ペイロード
１３２１  警報
１３２２  警報付加情報
１４００  警報管理テーブル
１４０１，１４０２  レコード
１５００，１６００，１７００，１８００  故障
１９０１，１９０２，２４０１，２５０１  伝送路
１９０４  装置間インタフェース
１９１１  ＨＷ
１９１２  ＨＷアクセス部
１９１３  警報収集部
１９１４  警報管理テーブル記憶部
１９１５  警報ハイアラーキ記憶部
１９１６  マスク判定部
１９１７  警報転送部
１９３１  通信部
１９３２  制御部
１９３３  通知部
２４１１〜２４１ｎ，２４４１〜２４４Ｎ，２４６１，２５１１，２５２１，２５４１，２５４４，２５５１，２６１１  光入力部
２４２１〜２４２３  多重化部
２４５１，２５２２，２５２４，２５５２  分岐部
２４５２，２５２３  ＯＣＭモジュール
２４５３，２５２５  セレクタ
２４５５，２４６５，２５１３，２５１５  合波部
２４６２  ポストアンプ
２４６３  増幅器
２４６４，２５１４  ＯＳＣモジュール
２５１２  ＤＲＡモジュール
２５１６，２６６３  プリアンプ
２４３０，２４５６，２４６６，２５１７，２５３１〜２５３Ｎ，２５６１〜２５６ｎ，２５４３，２５５３，２６１２  光出力部
２５４２  アンプ
２５４５  監視部
２５５４〜２５５６  多重分離部
２６２０  ＣＦＰモジュール
２６３０  マッパＦＰＧＡ
２６４０  フレーマＦＰＧＡ
２６５０  ＮＢモジュール
２６６１  電気出力部
２６６２  電気入力部
【図１】
2017228914.tif 000003
【図２】
2017228914.tif 000004
【図３】
2017228914.tif 000005
【図４】
2017228914.tif 000006
【図５】
2017228914.tif 000007
【図６】
2017228914.tif 000008
【図７】
2017228914.tif 000009
【図８】
2017228914.tif 000010
【図９】
2017228914.tif 000011
【図１０】
2017228914.tif 000012
【図１１】
2017228914.tif 000013
【図１２】
2017228914.tif 000014
【図１３】
2017228914.tif 000015
【図１４】
2017228914.tif 000016
【図１５】
2017228914.tif 000017
【図１６】
2017228914.tif 000018
【図１７】
2017228914.tif 000019
【図１８】
2017228914.tif 000020
【図１９】
2017228914.tif 000021
【図２０】
2017228914.tif 000022
【図２１】
2017228914.tif 000023
【図２２】
2017228914.tif 000024
【図２３】
2017228914.tif 000025
【図２４】
2017228914.tif 000026
【図２５】
2017228914.tif 000027
【図２６】
2017228914.tif 000028
【図２７】
2017228914.tif 000029